(57)【特許請求の範囲】
【請求項１】
自動原稿搬送装置を用いて原稿を供給し、その原稿の画像情報を読み取り、記録紙に片面印字又は両面印字し得る画像形成装置において、
読み取られた一枚の原稿の画像情報を記憶する記憶手段と、
読み取られる原稿に対して、その原稿の画像情報を記録紙の搬送方向の前半部若しくは後半部に直接印字するか、又はその原稿の画像情報を上記記憶手段に一旦記憶し、記録紙の搬送方向の前半部若しくは後半部に印字された画像情報に並べて印字するかの選択を行う選択手段とが設けられるとともに、
自動原稿搬送装置には、積載される原稿束における最上位の原稿又は最下位の原稿のいずれかを選択して順次原稿読取部へ搬送する上下原稿選択搬送手段が設けられ、
該上下原稿選択搬送手段は、原稿枚数を４で割った余りと所定のページ配置とに基づいて、積載される原稿束における最上位の原稿又は最下位の原稿のいずれかを選択する一方、
両面印字において、選択手段は、原稿枚数を４で割った余りが０、１、２又は３によって、その原稿の画像情報を記録紙の搬送方向の前半部若しくは後半部に直接印字するか、又はその原稿の画像情報を上記記憶手段に一旦記憶し、記録紙の搬送方向の前半部若しくは後半部に印字された画像情報に並べて印字するかの選択を行うことを特徴とする画像形成装置。
【請求項２】
原稿枚数を４で割った余りと所定のページ配置とに基づいて、読み取り原稿に代えて、白ページの画像情報を挿入させる白画像挿入手段が設けられていることを特徴とする請求項１記載の画像形成装置。
【請求項３】
自動原稿搬送装置には、載置される原稿束における最上位の原稿又は最下位の原稿のいずれかを選択して読み取られた原稿を一旦最上位の原稿と最下位の原稿との２つに分けて排出する一方、その排出された一方の原稿束を再度一枚ずつ取り出し、他方の排出されている原稿束の昇順又は降順に沿うように積み重ねて排出させる排出原稿再整理手段が設けられていることを特徴とする請求項１又は２記載の画像形成装置。
【請求項４】
排出原稿再整理手段は、
読み取られた原稿を一旦最上位の原稿と最下位の原稿との２つに分けて排出する上下２段の原稿排紙トレイと、各上下のいずれかの原稿排紙トレイに排紙された原稿を取り出してスイッチバックして他の原稿排紙トレイに排紙するスイッチバック手段とからなっていることを特徴とする請求項３記載の画像形成装置。
【請求項５】
読み取られた一枚の原稿の画像情報を印字するときに、記録紙の搬送方向長さの１／２が原稿の搬送方向の長さと一致しない場合には、変倍して印字する変倍印字手段が設けられていることを特徴とする請求項１〜４のいずれか１項に記載の画像形成装置。
【請求項６】
読み取られた一枚の原稿の画像情報を記憶手段に記憶する前に圧縮する圧縮手段が設けられていることを特徴とする請求項１〜５のいずれか１項に記載の画像形成装置。
【請求項７】
両面印字に対応すべく、記録紙の表面を印字した後、その記録紙を反転して記録紙の裏面に印字するための記録紙スイッチバック手段が設けられる一方、
ブック綴じ両面印字する際には、原稿枚数を４で割った余りと所定のページ配置とに基づいて、原稿の画像情報を記録紙に直接印字するダイレクト印字と原稿の画像情報を記憶手段に一旦記憶した後に記録紙に印字するメモリ印字とを併用して一枚の記録紙の表面に２つの原稿の画像情報を印字し、上記記録紙スイッチバック手段にて記録紙を反転した後、その記録紙に同様にして裏面印字することを特徴とする請求項１〜６のいずれか１項に記載の画像形成装置。
【発明の詳細な説明】
【０００１】
【発明の属する技術分野】
本発明は、自動原稿搬送装置を用いて原稿を供給し、その原稿の画像情報を読み取り、記録紙に片面印字又は両面印字し得る複写機や複合機等の画像形成装置に関するものであり、詳細には、ブック綴じコピーを効率良く行う画像形成装置に関するものである。
【０００２】
【従来の技術】
従来、両面印刷機能を有する複写機や複合機においては、例えば、ブック綴じコピーが所望される場合があった。
【０００３】
しかしながら、ブック綴じコピーには、袋綴じや中綴じ（週刊誌綴じ）等があり、例えばＡ４サイズの本においては、コピーしたＡ３サイズの用紙の見開きページ（２ページ分）はブック綴じしたときには通常順ページにはならない。また、ブック綴じには右綴じと左綴じとがあるので、見開きページ（２ページ分）のページ配置は、より複雑なものとなる。
【０００４】
したがって、ユーザ自身が該当ページのＡ４サイズの原稿を２枚、原稿台にセットし、両面印刷機能を使用してＡ３サイズの記録紙に中綴じのブック綴じコピー等を作成していくことは可能ではあるが、非常に手間がかかる作業となる。
【０００５】
そこで、このようなブック綴じコピーを容易に行うための画像形成装置として、例えば、特開平７−５０７３８号公報に開示されたものがある。
【０００６】
上記の画像形成装置におけるブック綴じコピー作成方法では、自動原稿搬送装置を使い、ブック綴じコピーの対象となる原稿について、予め全枚数をスキャナにて読み取り、搭載しているメモリにページ単位で格納する。そのページ単位で保持された画像データに対して、操作パネル上で製本モードに類する選択を行ない、製本モードと原稿の総ページとに応じて格納領域を所定の順序、すなわち製本モードに応じたページ配列の順序で画像形成された記録紙を出力するように指定するものとなっている。
【０００７】
上記のブック綴じコピー作成方法では、スキャナにて読み取った原稿のページ単位の画像データは圧縮処理を施してメモリに保持する場合もある。したがって、保持した画像データに対して、ブック綴じコピーを構成する順序でメモリから順次画像データを読み出し、圧縮されていれば伸長処理を施しながら印字していくものとなっている。
【０００８】
【発明が解決しようとする課題】
しかしながら、上記従来の画像形成装置では、読み取った原稿の画像データを保持するために、ブック綴じコピーの対象となる原稿の枚数によっては非常に大きな容量のメモリを必要とする。
【０００９】
したがって、読み取った原稿の画像データを圧縮処理や２値化処理を施したものをメモリに蓄積する構成をとった場合においても、搭載するメモリ容量からブック綴じコピーの原稿枚数が制限されてしまうという問題点を有している。
【００１０】
一方、自動原稿搬送装置を用いて、メモリ容量を削減してブック綴じコピーを行うには相当する手段が必要となるが、自動原稿搬送装置を用いないで、原稿を原稿台に載置して両面印字を実行するプロセスとしては、例えば、特開平７−１４３２９３号公報に開示された複写機がある。
【００１１】
この複写機では、見開きの本を原稿台に載置し、読み取って印字することによりブック綴じコピーする際に、各ページの内容が各印字用紙半分の略中央位置毎に納まるように、印字用紙の片面の半分、例えば、印字用紙がＡ３サイズであるとするとメモリはＡ４サイズの容量のものを所有し、このＡ４サイズのメモリに印字用紙の片面における前半又は後半のいずれか半分のデータを記憶することにより、様々な原稿枚数に対応したブック綴じコピーを行うという、ブック分割モードが可能となっている。
【００１２】
しかしながら、上記複写機の方式によるブック綴じコピープロセスでは、搬送路には、反転路及び副搬送路を含めて常に１枚の印字用紙しか搬送されず、印字時間が多くかかるという問題点がある。
【００１３】
本発明は、上記従来の問題点に鑑みなされたものであって、その目的は、ブック綴じ印字を行うに際して、搭載しているメモリの容量によって原稿枚数が制限されるのを回避し得る画像形成装置を提供することにある。
【００１４】
【課題を解決するための手段】
本発明の画像形成装置は、上記課題を解決するために、自動原稿搬送装置を用いて原稿を供給し、その原稿の画像情報を読み取り、記録紙に片面印字又は両面印字し得る画像形成装置において、読み取られた一枚の原稿の画像情報を記憶する記憶手段が設けられる一方、読み取られる原稿に対して、その原稿の画像情報を記録紙の搬送方向の前半部若しくは後半部に直接印字するか、又はその原稿の画像情報を上記記憶手段に一旦記憶し、記録紙の搬送方向の前半部若しくは後半部に印字された画像情報に並べて印字するかの選択を行う選択手段が設けられていることを特徴としている。
【００１５】
上記発明によれば、画像形成装置では、自動原稿搬送装置を用いて原稿を供給し、その原稿の画像情報を読み取り、記録紙に片面印字又は両面印字することができる。
【００１６】
そして、この画像形成装置には、読み取られた一枚の原稿の画像情報を記憶する記憶手段が設けられる一方、読み取られる原稿に対して、その原稿の画像情報を記録紙の搬送方向の前半部若しくは後半部に直接印字するか、又はその原稿の画像情報を上記記憶手段に一旦記憶し、記録紙の搬送方向の前半部若しくは後半部に印字された画像情報に並べて印字するかの選択を行う選択手段が設けられている。
【００１７】
すなわち、袋綴じや中綴じのブック綴じ印字においては、記録紙へのページ配置が重要となるため、読み込んだ原稿を直ぐに印字できない場合がある。
【００１８】
このとき、本発明では、読み取られた一枚の原稿の画像情報を記憶する記憶手段が設けられているので、一旦、その読み込んだ原稿を記憶しておくことができる。
【００１９】
このような、読み取られる原稿に対して、その原稿の画像情報を記録紙の搬送方向の前半部若しくは後半部に直接印字するか、又はその原稿の画像情報を上記記憶手段に一旦記憶し、記録紙の搬送方向の前半部若しくは後半部に印字された画像情報に並べて印字するかの選択は、選択手段によって行われる。
【００２０】
したがって、選択手段による選択動作により、上述したように、最初の原稿の画像情報を先ず記憶手段に一旦記憶し、次に読み込んだ原稿を先に印字し、その後に、記憶した原稿の画像情報を並べて印字することが可能となる。この結果、ブック綴じ印字に適切なページ配置とした記録紙への印字が可能となる。
【００２１】
そして、この印字方法では、原稿の画像情報を記憶する記憶手段の記憶容量としては、原稿一枚の画像情報を記憶できる容量があれば足りる。
【００２２】
この結果、ブック綴じ印字を行うに際して、搭載しているメモリの容量によって原稿枚数が制限されるのを回避し得る画像形成装置を提供することができる。
【００２３】
本発明の画像形成装置は、上記課題を解決するために、上記画像形成装置において、自動原稿搬送装置には、載置される原稿束における最上位の原稿又は最下位の原稿のいずれかを選択して順次原稿読取部へ搬送する上下原稿選択搬送手段が設けられていることを特徴としている。
【００２４】
すなわち、中綴じのブック綴じ印字においては、記録紙の片面には、例えば、原稿の最初のページと最後のページとが並べて印字される。
【００２５】
したがって、原稿の読み取りは、原稿束の最上位と最下位との両方から行う必要がある。
【００２６】
このとき、本発明では、自動原稿搬送装置には、載置される原稿束における最上位の原稿又は最下位の原稿のいずれかを選択して順次原稿読取部へ搬送する上下原稿選択搬送手段が設けられている。
【００２７】
このため、上下原稿選択搬送手段が、載置される原稿束における最上位の原稿又は最下位の原稿のいずれかを選択して順次原稿読取部へ搬送する。
【００２８】
したがって、従来では、このように、載置される原稿束における最上位の原稿又は最下位の原稿のいずれかを選択して順次原稿読取部へ搬送することができなかったので、取り敢えず原稿を全て読み取り、記憶しておく必要があった。
【００２９】
しかし、本発明では、記録紙の片面に、例えば、原稿の最初のページと最後のページとを並べて印字する場合においても、載置された原稿束の上下から原稿を読み込ますことができるので、記憶容量の削減を図ることができる。
【００３０】
この結果、中綴じのブック綴じ印字を行うに際して、搭載しているメモリの容量によって原稿枚数が制限されるのを回避し得る画像形成装置を提供することができる。
【００３１】
本発明の画像形成装置は、上記課題を解決するために、上記画像形成装置において、上下原稿選択搬送手段は、原稿枚数を４で割った余りと例えば中綴じのブック綴じ印字等の所定のページ配置とに基づいて、載置される原稿束における最上位の原稿又は最下位の原稿のいずれかを選択することを特徴としている。
【００３２】
すなわち、中綴じのブック綴じ印字においては、記録紙の両面に印字される。
【００３３】
そして、原稿枚数が４ｎ（ｎは整数）のときには、記録紙の表面には、上述したように、例えば、原稿の最後のページと最初のページとがこの順に印字される一方、記録紙の裏面には例えば、第２ページと最後のページ前１ページとがこの順に印字される。しかしながら、この印字の順序は原稿枚数が４ｎ−１枚、４ｎ−２枚、４ｎ−３枚では異なってくる。また、白ページの画像情報を挿入することによってもその順序は異なってくる。
【００３４】
しかし、本発明では、上下原稿選択搬送手段は、原稿枚数を４で割った余りと例えば中綴じのブック綴じ印字等の所定のページ配置とに基づいて、載置される原稿束における最上位の原稿又は最下位の原稿のいずれかを選択する。
【００３５】
したがって、上下原稿選択搬送手段が、原稿枚数を４で割った余りと例えば中綴じのブック綴じ印字等の所定のページ配置とに基づいて、載置される原稿束における最上位の原稿又は最下位の原稿のいずれかを選択するので、中綴じのブック綴じ印字を行うに際して、原稿束における最上位の原稿又は最下位の原稿の適切な方を取り込んで画像読取部にて読ませることができる。
【００３６】
この結果、載置された原稿束の最上位又は最下位のいずれかの原稿の取り出しが容易となる。
【００３７】
本発明の画像形成装置は、上記課題を解決するために、上記画像形成装置において、両面印字において、選択手段は、原稿枚数を４で割った余りが０、１、２又は３によって、その原稿の画像情報を記録紙の搬送方向の前半部若しくは後半部に直接印字するか、又はその原稿の画像情報を上記記憶手段に一旦記憶し、記録紙の搬送方向の前半部若しくは後半部に印字された画像情報に並べて印字するかの選択を行うことを特徴としている。
【００３８】
上記発明によれば、印字面が両面の場合には、選択手段は、原稿枚数を４で割った余りが０、１、２又は３によって、その原稿の画像情報を記録紙の搬送方向の前半部若しくは後半部に直接印字するか、又はその原稿の画像情報を上記記憶手段に一旦記憶し、記録紙の搬送方向の前半部若しくは後半部に印字された画像情報に並べて印字するかの選択を行う。
【００３９】
すなわち、中綴じのブック綴じ印字においては、記録紙の両面に印字しなければならない。
【００４０】
ここで、中綴じのブック綴じ印字においては、右綴じと左綴じとがあり、記録紙へのページ配置が重要となるため、読み込んだ原稿を直ぐに印字できない場合がある。
【００４１】
このとき、本発明では、読み取られた一枚の原稿の画像情報を記憶する記憶手段が設けられているので、一旦、その読み込んだ原稿を記憶しておくことができる。
【００４２】
一方、中綴じのブック綴じ印字においては、上述したように、原稿枚数が４ｎ（ｎは整数）のときには、記録紙の表面には、例えば、原稿の最後のページと最初のページとがこの順に印字される一方、記録紙の裏面には例えば、第２ページと最後のページ前１ページとがこの順に印字される。しかしながら、この印字の順序は原稿枚数が４ｎ−１枚、４ｎ−２枚、４ｎ−３枚では異なってくる。また、白ページの画像情報を挿入することによってもその順序は異なってくる。
【００４３】
しかし、本発明では、印字面が両面の場合には、選択手段は、原稿枚数を４で割った余りが０、１、２又は３によって、その原稿の画像情報を記録紙の搬送方向の前半部若しくは後半部に直接印字するか、又はその原稿の画像情報を上記記憶手段に一旦記憶し、記録紙の搬送方向の前半部若しくは後半部に印字された画像情報に並べて印字するかの選択を行う。
【００４４】
したがって、印字面が両面の場合には、選択手段による選択動作により、原稿枚数を４で割った余りと例えば中綴じのブック綴じ印字等の所定のページ配置とに基づいて、最初の原稿の画像情報を先ず記憶手段に一旦記憶し、予め別途記憶しておいた白ページの画像情報を最初に印字し、その後に、記憶した原稿の画像情報を並べて印字することが可能となる。
【００４５】
この結果、中綴じのブック綴じ印字に適切なページ配置とした記録紙への印字が可能となる。
【００４６】
そして、この印字方法では、原稿の画像情報を記憶する記憶手段の記憶容量としては、原稿一枚の画像情報を記憶できる容量と、予め別途に記憶しておく白ページの画像情報の容量とがあれば足りる。
【００４７】
この結果、中綴じのブック綴じ印字を行うに際して、搭載しているメモリの容量によって原稿枚数が制限されるのを回避し得る画像形成装置を提供することができる。
【００４８】
本発明の画像形成装置は、上記課題を解決するために、上記画像形成装置において、原稿枚数を４で割った余りと例えば中綴じのブック綴じ印字等の所定のページ配置とに基づいて、読み取り原稿に代えて、白ページの画像情報を挿入させる白画像挿入手段が設けられていることを特徴としている。
【００４９】
上記発明によれば、白画像挿入手段は、原稿枚数を４で割った余りと例えば中綴じのブック綴じ印字等の所定のページ配置とに基づいて、読み取り原稿に代えて、白ページの画像情報を挿入させる。
【００５０】
したがって、ブック綴じ印字において、例えば、最後のページを白ページにしたいときに、白画像挿入手段によって容易に白ページを挿入することができる。
【００５１】
本発明の画像形成装置は、上記課題を解決するために、上記画像形成装置において、自動原稿搬送装置には、載置される原稿束における最上位の原稿又は最下位の原稿のいずれかを選択して読み取られた原稿を一旦最上位の原稿と最下位の原稿との２つに分けて排出する一方、その排出された一方の原稿束を再度一枚ずつ取り出し、他方の排出されている原稿束の昇順又は降順に沿うように積み重ねて排出させる排出原稿再整理手段が設けられていることを特徴としている。
【００５２】
すなわち、原稿束の最上位と最下位とから原稿を取り出した場合には、一か所の排出場所しかない場合には、印字が終了したときに原稿束がページ順にならないので、後に原稿を昇順又は降順に並べ替える作業が必要となり、却って手間となる。
【００５３】
しかし、本発明では、自動原稿搬送装置には、載置される原稿束における最上位の原稿又は最下位の原稿のいずれかを選択して読み取られた原稿を一旦最上位の原稿と最下位の原稿との２つに分けて排出する一方、その排出された一方の原稿束を再度一枚ずつ取り出し、他方の排出されている原稿束の昇順又は降順に沿うように積み重ねて排出させる排出原稿再整理手段が設けられている。
【００５４】
したがって、排出原稿再整理手段は、先ず、載置される原稿束における最上位の原稿又は最下位の原稿のいずれかを選択して読み取られた原稿を一旦最上位の原稿と最下位の原稿との２つに分けて排出する。次いで、排出原稿再整理手段は、その排出された一方の原稿束を再度一枚ずつ取り出し、他方の排出されている原稿束の昇順又は降順に沿うように積み重ねて排出させる。
【００５５】
したがって、原稿の再排出が終了した時点では、排出された原稿束は昇順又は降順に並んでいる。
【００５６】
この結果、印字が終了した後も、排出原稿束を元の原稿束のページ順に整理された状態で取り出すことができる。
【００５７】
本発明の画像形成装置は、上記課題を解決するために、上記画像形成装置において、排出原稿再整理手段は、読み取られた原稿を一旦最上位の原稿と最下位の原稿との２つに分けて排出する上下２段の原稿排紙トレイと、各上下のいずれかの原稿排紙トレイに排紙された原稿を取り出してスイッチバックして他の原稿排紙トレイに排紙するスイッチバック手段とからなっていることを特徴としている。
【００５８】
すなわち、原稿束の最上位と最下位とから原稿を取り出した場合には、先頭原稿からの昇順並び原稿と、末尾原稿からの降順並び原稿が交互に排紙されるため、排紙された原稿は元の並びにはならない。
【００５９】
しかし、上記発明によれば、排出原稿再整理手段は、読み取られた原稿を一旦最上位の原稿と最下位の原稿との２つに分けて排出する上下２段の原稿排紙トレイと、各上下のいずれかの原稿排紙トレイに排紙された原稿を取り出してスイッチバックして他の原稿排紙トレイに排紙するスイッチバック手段とからなっている。
【００６０】
したがって、印字の終了した原稿は、先頭からの原稿と末尾からの原稿とを、２つの上下２段の原稿排紙トレイに分けて一旦排紙し、全印字完了後に、スイッチバック手段により、片方の原稿排紙トレイから他方の原稿排紙トレイに原稿を排紙することによって、最終的にページ順の揃った元の並び通りに原稿を排紙することが可能である。
【００６１】
この結果、印字が終了した後も、確実に元の原稿束のページ順に排出原稿束を取り出すことができる。
【００６２】
本発明の画像形成装置は、上記課題を解決するために、上記画像形成装置において、読み取られた一枚の原稿の画像情報を印字するときに、記録紙の搬送方向長さの１／２が原稿の搬送方向の長さと一致しない場合には、変倍して印字する変倍印字手段が設けられていることを特徴としている。
【００６３】
上記発明によれば、変倍印字手段は、読み取られた一枚の原稿の画像情報を印字するときに、記録紙の搬送方向長さの１／２が原稿の搬送方向の長さと一致しない場合には、変倍して印字する。
【００６４】
したがって、記録紙に印字する場合に、原稿の縮尺が異なっていても、大きさを揃えて印字することができる。
【００６５】
本発明の画像形成装置は、上記課題を解決するために、上記画像形成装置において、読み取られた一枚の原稿の画像情報を記憶手段に記憶する前に圧縮する圧縮手段が設けられていることを特徴としている。
【００６６】
上記の発明によれば、読み取られた一枚の原稿の画像情報を記憶手段に記憶する前に圧縮する圧縮手段が設けられている。
【００６７】
このため、記憶手段には、１枚の原稿の画像情報を圧縮して記憶することができるので、さらに記憶容量を削減することができる。
【００６８】
この結果、ブック綴じ印字を行うに際して、搭載しているメモリの容量によって原稿枚数が制限されるのをさらに回避し得る画像形成装置を提供することができる。
【００６９】
本発明の画像形成装置は、上記課題を解決するために、上記画像形成装置において、両面印字に対応すべく、記録紙の表面を印字した後、その記録紙を反転して記録紙の裏面に印字するための記録紙スイッチバック手段が設けられる一方、ブック綴じ両面印字する際には、原稿枚数を４で割った余りと例えば中綴じのブック綴じ印字等の所定のページ配置とに基づいて、原稿の画像情報を記録紙に直接印字するダイレクト印字と原稿の画像情報を記憶手段に一旦記憶した後に記録紙に印字するメモリ印字とを併用して一枚の記録紙の表面に２つの原稿の画像情報を印字し、上記記録紙スイッチバック手段にて記録紙を反転した後、その記録紙に同様にして裏面印字することを特徴としている。
【００７０】
上記の発明によれば、両面印字に対応すべく、記録紙の表面を印字した後、その記録紙を反転して記録紙の裏面に印字するための記録紙スイッチバック手段が設けられる。また、ブック綴じ両面印字する際には、原稿枚数を４で割った余りと例えば中綴じのブック綴じ印字等の所定のページ配置とに基づいて、原稿の画像情報を記録紙に直接印字するダイレクト印字と原稿の画像情報を記憶手段に一旦記憶した後に記録紙に印字するメモリ印字とを併用して一枚の記録紙の表面に２つの原稿の画像情報を印字し、上記記録紙スイッチバック手段にて記録紙を反転した後、その記録紙に同様にして裏面印字する。
【００７１】
したがって、ブック綴じ両面印字する際には、記録紙の表面に対してメモリ容量の削減を図り得る適切な印字ができる一方、その後、記録紙の印字面が記録紙スイッチバック手段によって反転されて記録紙の裏面に対してもメモリ容量の削減を図り得る適切な印字ができる。
【００７２】
この結果、メモリ容量の削減を図ることができるとともに、外部手操作による記録紙の反転作業が省かれ、記録紙反転に対するユーザの負担が軽減される。
【００７３】
【発明の実施の形態】
〔実施の形態１〕
本発明の実施の一形態について図１ないし図４１に基づいて説明すれば、以下の通りである。なお、本実施の形態では、画像形成装置としてのディジタル複写機について説明するが、必ずしもこれに限らず、例えば、ディジタル複写機を含む複合機や他の画像形成装置においても適用可能である。
【００７４】
本実施の形態のディジタル複写機は、図２に示すように、上面に透明なガラス等からなる原稿読取部としての原稿台３１を有している。
【００７５】
この原稿台３１の上方には自動原稿搬送装置１０が配置され、下方にはスキャナ光学系３０が配されている。
【００７６】
スキャナ光学系３０は、自動原稿搬送装置１０によって原稿束の最上位又は最下位の原稿を給紙機構の上部又は下部の半月状ローラによって給紙し、搬送ベルトによって送られて規定位置で停止した原稿に光を照射する露光用光源３２と、同図において一点鎖線で示すように、原稿からの反射光をこのスキャナ光学系３０内に配置された結像レンズ３４を通して光電変換素子（以下、「ＣＣＤ:Charge Coupled Device」と称する) ３５に導く複数の反射ミラー３３…と、光路中に配される上記結像レンズ３４と、上記ＣＣＤ３５とを備えている。
【００７７】
上記のスキャナ光学系３０の下側には、画像形成部４０が設けられている。
【００７８】
画像形成部４０では、上記のスキャナ光学系３０におけるＣＣＤ３５によって読み取られた原稿画像データは、画像処理が施され、後述するレーザ出力変換部（以下、「ＬＳＵ：Laser Scanning Unit 」と称する）７４によってレーザ光が感光体４１の表面に照射されて感光体４１にその静電潜像が形成される。
【００７９】
感光体４１は、矢印方向である反時計方向に回転駆動されるドラム形状をなしている。この感光体４１の周囲には、レーザ照射点から感光体４１の回転方向に、レーザによって露光された感光体４１表面の静電潜像をトナーにより可視像に現像する現像装置４２と、感光体４１上のトナー像を記録紙Ｐに転写する転写チャージャ４３と、感光体４１表面の残留トナーを除去するクリーニング装置４４と、感光体４１を所定の電位に帯電させる主帯電器４５と、感光体４１のレーザ照射点に向かってレーザを照射させる上記ＬＳＵ７４等とが順に設けられる。
【００８０】
また、記録紙Ｐは用紙カセット５１に収められている。用紙カセット５１の先端部には記録紙Ｐを給紙するための記録紙半月状ローラ５２が配されており、排紙側である下流側に向かって記録紙Ｐの通過を検知するためのレジスト前検知スイッチ５３と、このレジスト前検知スイッチ５３の信号を基に感光体４１上のトナー像と記録紙Ｐとの位置合わせを行うレジストローラ５４・５４と、感光体４１上のトナー像を記録紙Ｐに転写する前記転写チャージャ４３と、記録紙Ｐ上のトナー像を熱により定着させる定着ローラ５５・５５と、この定着ローラ５５・５５を記録紙Ｐが通過したことを検知する図示しない定着紙検知スイッチと、排紙ローラ５６・５６前で記録紙Ｐが通過したことを検知する図示しない排紙検知スイッチと、記録紙Ｐの後端が反転選択爪５７を過ぎたところで逆転して記録紙Ｐを逆向きに搬送させる反転ローラ５８・５８と、記録紙Ｐを排出するための上記排紙ローラ５６・５６とが配置されている。
【００８１】
この結果、記録紙Ｐは画像形成部４０の横に排紙される。また、記録紙Ｐを反転させるときには、定着ローラ５５・５５及び反転選択爪５７を通過して記録紙スイッチバック手段としての反転退避路５９ａに退避した記録紙Ｐに対して、反転選択爪５７が同図において破線で示すように移動し、かつ反転ローラ５８・５８が逆転するので、記録紙Ｐは記録紙スイッチバック手段としての副搬送路５９ｂを経てレジストローラ５４・５４の位置まで搬送され、レジストローラ５４・５４にて記録紙Ｐとの位置合わせを行った後、転写チャージャ４３及び定着ローラ５５・５５にて記録紙Ｐの裏面が印字される。なお、同図において、反転退避路５９ａでの記録紙Ｐの退避中は記録紙Ｐの一部が排紙ローラ５６・５６から露出するように見えるが、露出するか否かは問わない。両面が印字された記録紙Ｐは、反転ローラ５８・５８及び排紙ローラ５６・５６を通して排出される。
【００８２】
このようなディジタル複写機の動作制御は、制御部にて行われる。
【００８３】
すなわち、制御部６０は、図３に示すように、ＣＰＵ（Central Processing Unit)６１及び記憶手段としての画像メモリ６２等によって構成されており、ＣＰＵ６１は、自動原稿搬送装置制御６３、スキャナ光学系制御６４、印字プロセス制御６５、記録紙搬送制御６６、画像メモリ制御６７及び画像データ切り替え制御６８等の各制御を行っている。
【００８４】
上記の自動原稿搬送装置制御６３、スキャナ光学系制御６４、印字プロセス制御６５、記録紙搬送制御６６においては、後述する原稿給紙部１及び原稿排紙部１１の制御や前述したスキャナ光学系３０及び画像形成部４０の動作を行うための制御を行う。
【００８５】
上記画像メモリ制御６７は、ブック綴じ印字としてのブック綴じコピーを行うときに、読み込んだ原稿Ｍの画像情報を画像メモリ６２に記憶する等の制御を行うものであり、画像データ切り替え制御６８は、同じくブック綴じコピーを行うときに、画像メモリ６２の画像情報を印字するか若しくは読み込んだ原稿Ｍの画像情報を直接印字するかの切換え制御、又は白画像挿入手段として白ページ（以下、「白データ」ともいう）を挿入するか否かの切り替え制御を行うものである。なお、白ページの挿入方法は、後述する画像メモリ６２に別途白の画像情報として格納しておいてそれを印字する方法があるが、それ以外に、例えば、記録紙Ｐを単に白ページの分だけ移動する方法も考えられる。
【００８６】
次に、上記自動原稿搬送装置１０の構成について詳細に説明する。
【００８７】
本実施の形態の自動原稿搬送装置１０では、ブック綴じコピーをハード的な機構を用いることによって、原稿Ｍの画像情報の記憶をできるだけ少なくして行い得るものとなっている。
【００８８】
すなわち、上記の自動原稿搬送装置１０は、図４に示すように、原稿給紙トレイ２に載置された原稿束の最上位原稿を取り出す最上位原稿ピックアップローラ３及び原稿束の最下位原稿を取り出す最下位原稿ピックアップローラ４と、各上下位の原稿Ｍを取り出すときに、原稿束の原稿Ｍが複数枚重なって取り出されないようにする上さばき板５及び下さばき板６とによって構成される上下原稿選択搬送手段としての原稿給紙部１を有している。
【００８９】
この原稿給紙部１によって、図５（ａ）（ｂ）に示すように、原稿給紙トレイ２に載置された原稿束の原稿Ｍを最下位と最上位とから交互に取り出すことによって、例えば、先頭ページと最後のページとの２枚を連続して原稿台３１に搬送して読み取ることができる。
【００９０】
詳細には、１枚ずつの原稿Ｍが、原稿先端と画像読み取りタイミングを調整するために配置されるＰＳ(Paper Stop)ローラ７にて一旦停止し、タイミングを合わせた状態で再搬送され、プラテンガラスからなる原稿台３１にベルト８にて搬送され、前述したように、図２に示すスキャナ光学系３０の露光用光源３２によって原稿Ｍが照射されると同時に枠体が走査し、反射ミラー３３…及び結像レンズ３４を介してＣＣＤ３５にて原稿Ｍの画像情報は読み取られる。
【００９１】
そして、本実施の形態では、最初に読み込んだ原稿Ｍについては、前記制御部６０における画像メモリ６２に記憶される一方、次に読み込んだ原稿Ｍについては、原稿Ｍの規定位置にて読み込まれて直接印字処理され、その印字に続いて上記画像メモリ６２に記憶された最初の原稿Ｍが印字処理される。
【００９２】
詳細は後述するが、このような処理を行うことによって、原稿Ｍ一枚分の記憶容量の画像メモリ６２があれば、ブック綴じコピーが可能となる。
【００９３】
一方、このようにして読み取られた原稿Ｍは、排出原稿再整理手段としての原稿排紙部１１における搬送ローラ１２を介して上原稿排紙トレイ１３ａ及び下原稿排紙トレイ１３ｂに搬送される。
【００９４】
すなわち、本実施の形態の自動原稿搬送装置１０は、図２に示すように、２つの原稿排紙トレイとしての上原稿排紙トレイ１３ａ及び下原稿排紙トレイ１３ｂを備えている。これは、本実施の形態では、原稿給紙トレイ２に載置された原稿束の原稿Ｍを最上位と最下位とから取り出す方法を採用しているので、それぞれを分離するために２つの上原稿排紙トレイ１３ａ及び下原稿排紙トレイ１３ｂを設けているものである。
【００９５】
上記自動原稿搬送装置１０の原稿排紙部１１について詳細に説明する。
【００９６】
原稿排紙部１１は、図６に示すように、前記原稿台３１、ベルト８、ベルト駆動ローラ９、原稿主搬送路１４、上搬送分岐路１５ａ、下搬送分岐路１５ｂ、スイッチバック手段としてのスイッチバック用搬送路１６、第１搬送路選択爪１７ａ、第２搬送路選択爪１７ｂ、スイッチバック用搬送ローラ１８・１８、上排紙ローラ１９ａ・１９ａ、下排紙ローラ１９ｂ・１９ｂ、スイッチバック手段としての原稿排紙半月ローラ２１、並びに前記上原稿排紙トレイ１３ａ及び下原稿排紙トレイ１３ｂから構成される。
【００９７】
原稿排紙搬送路は、原稿主搬送路１４、上搬送分岐路１５ａ、下搬送分岐路１５ｂ及びスイッチバック用搬送路１６にて構成され、原稿主搬送路１４には、第１搬送路選択爪１７ａ及び第２搬送路選択爪１７ｂが配置されている。
【００９８】
第１搬送路選択爪１７ａは、同図に示すように、図示しないバネによって、常に破線で示されている爪位置方向に付勢されており、原稿主搬送路１４とスイッチバック用搬送路１６とを開通させているが、原稿台３１から原稿Ｍが搬送路内に搬送されてきたときには、原稿Ｍが搬送される力によって第１搬送路選択爪１７ａを実線で示されている位置方向に押し開き、原稿主搬送路１４を原稿Ｍが搬送される。
【００９９】
第２搬送路選択爪１７ｂは、図示しないソレノイドによって、同図に示すように、実線で示されている爪位置と破線で示されている爪位置とに任意に切り替え可能になっている。破線位置の場合は、原稿主搬送路１４と上搬送分岐路１５ａとが開通し、実線位置の場合には、原稿主搬送路１４と下搬送分岐路１５ｂとが開通する。
【０１００】
上搬送分岐路１５ａの後端部には、上搬送分岐路１５ａから上原稿排紙トレイ１３ａへ原稿Ｍを排紙する方向に回転する上排紙ローラ１９ａ・１９ａが備えられ、原稿主搬送路１４から上搬送分岐路１５ａ内に搬送された原稿Ｍは、上排紙ローラ１９ａ・１９ａの回転によって上原稿排紙トレイ１３ａに排紙される。
【０１０１】
一方、下搬送分岐路１５ｂの後端部には、回転方向が任意に変えられる下排紙ローラ１９ｂ・１９ｂが備えられ、原稿主搬送路１４から下搬送分岐路１５ｂ内に搬送されてきた原稿Ｍは、下排紙ローラ１９ｂ・１９ｂの回転によって下原稿排紙トレイ１３ｂに排紙される。また、下原稿排紙トレイ１３ｂには、同図においては時計回りに回転する原稿排紙半月ローラ２１が備えられ、下原稿排紙トレイ１３ｂに一度排紙された原稿束の上側から１枚ずつ下搬送分岐路１５ｂに原稿を送り出すことができる。このとき、下排紙ローラ１９ｂ・１９ｂは、排紙のときと逆方向に回転し、下原稿排紙トレイ１３ｂの原稿Ｍを下搬送分岐路１５ｂへ引き込む。なお、第１搬送路選択爪１７ａについても、第２搬送路選択爪１７ｂと同様に、図示しないソレノイドによって、実線で示されている爪位置と、破線で示されている爪位置とに任意に切り替えが可能になっていても良い。また、スイッチバック用搬送路１６には、回転方向が自由に変えられるスイッチバック用搬送ローラ１８・１８が配置されている。
【０１０２】
上記原稿排紙部１１における原稿排紙機構について説明する。
【０１０３】
本実施の形態の原稿排紙機構では、前記図５（ａ）（ｂ）に示すように、原稿面を下にした原稿束から上側（末ページ側）又は下側（頭ページ）を選択して、原稿Ｍを１枚ずつ給紙できる機能を備えた図示しない給紙機構により給紙された原稿Ｍが、ベルト駆動ローラ９にて駆動されるベルト８によって、原稿台３１の所定の位置に搬送され、スキャナ光学系３０によって、原稿面の画像入力処理が行われた後、図６に示すように、ベルト８によって原稿排紙搬送路内へ搬送される。
【０１０４】
原稿排紙搬送路では、第１搬送路選択爪１７ａは、原稿台３１から搬送されてくる原稿Ｍによって、破線位置から実線位置へ押し開けられ、原稿Ｍを原稿主搬送路１４へ導く。その後、第２搬送路選択爪１７ｂによって、原稿Ｍは上搬送分岐路１５ａ又は下搬送分岐路１５ｂのいずれかへ仕分けられて搬送される。
【０１０５】
すなわち、原稿台３１から送られてくる原稿Ｍは、先頭ページからの昇順原稿（前半原稿）又は末尾ページからの降順原稿（後半原稿）であり、どちらが送られてくるかは、給紙時にわかるので、前半原稿を下原稿排紙トレイ１３ｂに排紙する一方、後半原稿を上原稿排紙トレイ１３ａにそれぞれ排紙する。
【０１０６】
例えば、先ず、原稿台３１から原稿排紙搬送路に搬送された原稿Ｍが、給紙機構によって上側から給紙された原稿Ｍであるとき、第２搬送路選択爪１７ｂは、同図において破線にて示された位置に設定され、原稿Ｍを上搬送分岐路１５ａへ導き、上排紙ローラ１９ａ・１９ａは、上搬送分岐路１５ａから上原稿排紙トレイ１３ａへ原稿Ｍを排紙する方向に回転し、原稿面を上にして原稿Ｍを上原稿排紙トレイ１３ａへ排紙する。
【０１０７】
次に、原稿台３１から原稿排紙搬送路に搬送された原稿Ｍが、給紙機構によって下側から給紙された原稿Ｍであるときには、第２搬送路選択爪１７ｂは、同図において実線で示された位置に設定され、原稿Ｍを下搬送分岐路１５ｂへ導き、下排紙ローラ１９ｂ・１９ｂは、下搬送分岐路１５ｂから下原稿排紙トレイ１３ｂへ原稿Ｍを排紙する方向に回転し、原稿面を上にして原稿Ｍを下原稿排紙トレイ１３ｂへ排紙する。
【０１０８】
その結果、ブック綴じコピーにおいて全原稿Ｍの複写を完了したときには、図７に示すように、上原稿排紙トレイ１３ａには、元の原稿束の後半部分が原稿面を上にして正順に排紙され、下原稿排紙トレイ１３ｂには、元の原稿束の前半部分が原稿面を上にして逆順に排紙される。すなわち、同図に示すように、下原稿排紙トレイ１３ｂには、前半原稿が下から順番に１ページ〜Ｎ−１ページ原稿面を上にして降順に並んで排紙される一方、上原稿排紙トレイ１３ａには、後半原稿が上から順番にＮ＋１ページ〜最終ページまで原稿面を上にして昇順に並んで排紙される。
【０１０９】
しかしながら、この状態では、上原稿排紙トレイ１３ａ及び下原稿排紙トレイ１３ｂに排紙された後半部の原稿束及び前半部の原稿束を取り出して重ねても、全体の原稿束を昇順又は降順にするものとはならない。
【０１１０】
そこで、本実施の形態では、下原稿排紙トレイ１３ｂに排紙された原稿Ｍを再び、原稿排紙搬送路内に搬送し、スイッチバックして上原稿排紙トレイ１３ａに排紙するようになっている。
【０１１１】
そのスイッチバック動作を以下に説明する。
【０１１２】
先ず、同図に示すように、下原稿排紙トレイ１３ｂの最上位の原稿Ｍが取り出される。このとき、スイッチバック動作時には、図６に示すように、第２搬送路選択爪１７ｂは、実線で示される位置に設定され、下排紙ローラ１９ｂ・１９ｂは、原稿排紙時とは逆向きに回転し、スイッチバック用搬送ローラ１８・１８は、原稿Ｍを原稿主搬送路１４からスイッチバック用搬送路１６内に引き込む方向に回転する。
【０１１３】
これによって、図示しない原稿整列機構にて、下原稿排紙トレイ１３ｂ内で整列した原稿束に対して、原稿排紙半月ローラ２１を時計回りに回転させることによって、原稿Ｍを上側から１枚下排紙ローラ１９ｂ・１９ｂへ給紙し、原稿主搬送路１４を通して、スイッチバック用搬送路１６へ導かれ、スイッチバック用搬送ローラ１８・１８によって引き込まれる。
【０１１４】
次いで、搬送された原稿Ｍの末端が第２搬送路選択爪１７ｂを通過した後、スイッチバック用搬送ローラ１８・１８の回転を止め、第２搬送路選択爪１７ｂを、破線で示す位置に切り替え、上排紙ローラ１９ａ・１９ａを原稿Ｍを排紙する方向に回転させ、スイッチバック用搬送ローラ１８・１８をスイッチバック用搬送路１６から原稿主搬送路１４に搬送する方向に回転させ、原稿Ｍを原稿主搬送路１４を通して上搬送分岐路１５ａへ導き、上排紙ローラ１９ａ・１９ａによって、図８に示すように、上原稿排紙トレイ１３ａへ排紙する。
【０１１５】
これによって、下原稿排紙トレイ１３ｂの最上部のＮページ目の原稿Ｍを、スイッチバック用搬送路１６内に搬送し、スイッチバック機能を用いて、上原稿排紙トレイ１３ａの最上部に排紙することができる。この結果、上原稿排紙トレイ１３ａでは、上側から順番にＮページ〜最終ページまでの原稿Ｍが昇順に並んでいることになる。
【０１１６】
そして、下原稿排紙トレイ１３ｂに排紙されていた原稿Ｍを１枚ずつスイッチバックしながら上原稿排紙トレイ１３ａに排紙する動作を下原稿排紙トレイ１３ｂの原稿Ｍが無くなるまで繰り返すことにより、図９に示すように、上原稿排紙トレイ１３ａにおいては、最終的に、上側から順番に１ページ〜最終ページまで原稿面を上にした昇順並びの原稿束を得ることができる。
【０１１７】
これによって、上原稿排紙トレイ１３ａに排紙された原稿束をそのまま取り上げることにより、原稿排紙部１１の原稿給紙トレイ２に載置した状態の原稿束を得ることができる。
【０１１８】
次に、本実施の形態の自動原稿搬送装置１０にてブック綴じコピーを行うときの動作について述べる。ここで、ブック綴じコピーには、袋綴じや中綴じ（週刊誌綴じ）等があるとともに、右綴じ又は左綴じがある。上記右綴じはページが右から昇順になるものであり、左綴じはページが左から昇順になるものである。なお、袋綴じ及び中綴じについては、以下の各袋綴じ又は中綴じのブック綴じコピーの中で説明する。
【０１１９】
最初に、袋綴じコピーを行う場合について説明する。また、ここでは、左綴じについて説明する。
【０１２０】
左綴じの袋綴じコピーにおいては、図１０（ａ）に示すように、例えばＡ４サイズの本においては、コピーしたＡ３サイズの記録紙Ｐの片面見開きページ（２ページ分）の左ページに例えばＡ４サイズ第１ページが印刷され、右ページにＡ４サイズ第２ページが印刷される。また、次のＡ３サイズの記録紙Ｐの片面見開きページ（２ページ分）の左ページに例えばＡ４サイズ第３ページが印刷され、右ページにＡ４サイズ第４ページが印刷される。
【０１２１】
そして、原稿枚数が偶数のときには、図１０（ａ）に示すように、記録紙Ｐの最後の枚数の右側に第Ｎ番目の原稿Ｍが印刷される一方、原稿枚数が奇数のときには、図１１（ａ）に示すように、記録紙Ｐの最後の枚数の左側に第Ｎ番目の原稿Ｍが印刷される。
【０１２２】
このとき、印字の方向は、図１０（ｂ）及び図１１（ｂ）に示すように、最初の記録紙Ｐでは、先ず第２ページを印刷し、次いで第１ページを印刷する。したがって、最初に読み込んだ原稿Ｍが、次に読み込んだ原稿Ｍの後に並べて印刷されることになる。
【０１２３】
このようにして、ブック綴じコピーが終了すると、各記録紙Ｐ…の中心線を山折りにし、それらを重ねることにより製本することができる。したがって、袋綴じにおいては、記録紙Ｐの裏面は印刷されないことになり、片面印字の機能を有するディジタル複写機にて自動的にブック綴じコピーが行えるものとなっている。
【０１２４】
ここで、本実施の形態では、左綴じの袋綴じコピーにおいては、最初に読み込んだ原稿Ｍを、一旦、記憶しておき、次に、２枚目の原稿Ｍを読み込み、原稿台３１の規定位置で印字を行った後、上記記憶された最初の原稿Ｍを並べて印字するようになっている。
【０１２５】
そして、上記の画像記憶及び印字の切り替え制御は、図１に示すように行われる。
【０１２６】
すなわち、同図に示すように、スキャナ光学系３０の読み取り動作によってＣＣＤ３５に入力されたアナログ信号の画像データは、Ａ／Ｄ変換器７１にてディジタル信号の画像データに変換される。そのディジタル画像データ（以下、単に「画像データ」と称する）に対して変倍印字手段としての画像処理部７２にて画像処理を施し、選択手段としてのデータバス切替部７３に入力する。
【０１２７】
上記画像処理部７２では、例えば、読み取られた一枚の原稿Ｍの画像情報を印字するときに、記録紙Ｐの搬送方向長さの１／２が原稿Ｍの搬送方向の長さと一致しない場合には、変倍して印字するようになっている。
【０１２８】
上記データバス切替部７３は、ＣＰＵ６１にて読み取る原稿Ｍの画像データを画像メモリ６２に入力して保持するか、又はそのままレーザ出力変換部（ＬＳＵ）７４に送るかをセレクト信号８０によって選択する。
【０１２９】
読み取る原稿Ｍの画像データが画像メモリ６２にて保持するべきものである場合は、データバス８２を選択する。今の場合、奇数番目に読み込んだ原稿Ｍを画像メモリ６２に記憶する。このとき、ＣＰＵ６１は、画像メモリ６２に対して制御信号８１にてライトモードを指示する。
【０１３０】
原稿Ｍの画像情報を保持せずダイレクトに出力する画像データの場合は、データバス８３を選択するようにＣＰＵ６１からセレクト信号８０を与える。今の場合、偶数番目に読んだ原稿Ｍを直接印字する。そして、データバス８３を選択する場合には、データバス切替部７３はデータバス８３にて読み込んだ原稿Ｍの画像データを直接レーザ出力変換部（ＬＳＵ）７４に出力して画像形成部４０にて印字するように選択する。
【０１３１】
一方、画像メモリ６２にて保持されている画像データを出力する場合は、ＣＰＵ６１から制御信号８１により画像メモリ６２に対してリードモードが指示され、保持されている画像データを読み出す。これにより、データバス切替部７３は、画像メモリ６２からの出力データバス８４を選択し、画像データをレーザ出力変換部７４に出力して、画像形成部４０にて印字プロセスを行う。
【０１３２】
上記の、左綴じの袋綴じコピーを行う場合の動作について、図１２、及び図１３ないし図１５に示すフローチャートに基づいて説明する。
【０１３３】
ここでは、例えば、図１２に示すように、Ａ４サイズの表面にのみ画像情報が記載された原稿Ｍが、１ページからＥＮＤページまで原稿束として前記原稿給紙トレイ２に下向きに載置されているものとする。
【０１３４】
先ず、図１３のフローチャートに示すように、ディジタル複写機に、ブック綴じコピー処理のページ印字要求が行われる（Ｓ１）。この印字要求によって、印字枚数、印字倍率及び記録用紙サイズ等々の設定が行われるとともに、読み取る原稿枚数の情報も設定され、その情報に基づいて読み取る原稿枚数が偶数枚か奇数枚かの判定を行う（Ｓ２）。
【０１３５】
この判定によって、原稿枚数が偶数枚のときには原稿２枚処理モードルーチンが行われ（Ｓ３）、原稿２枚処理が終了すると、次原稿が有るか否かを判定を行い（Ｓ４）、次原稿がなくなるまで、Ｓ３の原稿２枚処理モードルーチンが繰り返される。
【０１３６】
上記の原稿２枚処理モードルーチンでは、図１４のフローチャートに示すように、先ず、１枚目の原稿Ｍとして原稿束の最下位原稿をピックアップし（Ｓ１１）、最下位原稿ピックアップローラ４によってピックアップされた最下位の原稿１枚を原稿読取部である原稿台３１に搬送する（Ｓ１２）。搬送された原稿Ｍは、スキャナ光学系３０のスキャンによって読み取られ（Ｓ１３）、ＣＣＤ３５に入力され、画像処理を施した後、制御部６０における画像メモリ６２に画像情報が記憶される（Ｓ１４）。
【０１３７】
次に、２枚目の原稿Ｍとして原稿束の最下位原稿をピックアップし（Ｓ１５）、最下位原稿ピックアップローラ４によってピックアップされた最下位の原稿１枚を原稿台３１に搬送し（Ｓ１６）、続いて、用紙カセット５１の記録紙Ｐを記録紙半月状ローラ５２を用いてレジストローラ５４・５４に搬送し（Ｓ１７）、上記原稿台３１に搬送されている最下位原稿を原稿台３１の規定位置で停止させる（Ｓ１８）。
【０１３８】
その原稿Ｍをスキャナ光学系３０のスキャンによって読み取り（Ｓ１９）、ＣＣＤ３５に入力されて画像処理を施した画像情報の先端と記録紙Ｐの先端とを合わせるタイミングで記録紙Ｐの搬送及び画像情報の感光体４１への画像照射を行うことによりダイレクト印字を行う（Ｓ２０）。
【０１３９】
次いで、記録紙Ｐの先端から印字ポジションを算出し、最下位原稿のダイレクト印字が終了する最適タイミングにて、記憶している最下位原稿の画像情報を呼び出し感光体４１への画像照射を行う（Ｓ２１）。
【０１４０】
そして、印字された記録紙Ｐ上の未定着トナーを定着後、記録紙Ｐを反転退避路５９ａを通して排紙ローラ５６・５６を介して排出する（Ｓ２２）。
【０１４１】
これによって、前記図１０（ａ）に示したように、左綴じの袋綴じにおける偶数枚原稿Ｍによるブック綴じコピーが完成する。
【０１４２】
一方、原稿枚数が奇数のときには、図１３に示すＳ２において、原稿枚数が奇数枚と判定される。なお、本説明においては、原稿Ｍは少なくとも３枚以上であるとして説明している。
【０１４３】
このときには、先ず、上述した原稿２枚処理モードルーチンが行われる（Ｓ５）。次いで、この原稿２枚処理が終了すると、次原稿が最終原稿か否かを判定し（Ｓ６）、次原稿が最終原稿でない場合には、原稿２枚処理モードルーチンを繰り返す。
【０１４４】
そして、Ｓ６で次原稿が最終原稿でない場合には、奇数枚最終原稿処理モードルーチンを行う（Ｓ７）。
【０１４５】
上記の奇数枚最終原稿処理モードルーチンは、図１５のフローチャートに示すように、先ず、最終の原稿Ｍを最下位原稿ピックアップローラ４にてピックアップし（Ｓ３１）、最下位原稿ピックアップローラ４によってピックアップされた最終原稿Ｍを原稿読取部である原稿台３１に搬送する（Ｓ３２）。搬送された最終の原稿Ｍは、スキャナ光学系３０のスキャンによって読み取られ（Ｓ３３）、ＣＣＤ３５に入力され、画像処理を施した後、制御部６０における画像メモリ６２に画像情報が記憶される（Ｓ３４）。
【０１４６】
次に、用紙カセット５１の記録紙Ｐを記録紙半月状ローラ５２を用いてレジストローラ５４・５４に搬送し（Ｓ３５）、記録紙Ｐの先端から印字ポジションを算出し、白ページが印刷されたとした場合のその印字が終了する最適タイミングにて、記憶している最下位原稿の画像情報を呼び出し感光体４１への画像照射を行う（Ｓ３６）。
【０１４７】
そして、印字された記録紙Ｐ上の未定着トナーを定着後、記録紙Ｐを反転退避路５９ａを通して排紙ローラ５６・５６を介して排出する（Ｓ３７）。
【０１４８】
これによって、前記図１１（ａ）に示したように、左綴じの袋綴じにおける奇数枚原稿Ｍによるブック綴じコピーが完成する。
【０１４９】
なお、右綴じの袋綴じにおけるブック綴じコピーについては、原稿Ｍの読取順に印字すれば良く、そのときに、並列に印字すべくタイミングを合わせれば良いだけであるので、説明を省略する。
【０１５０】
次に、中綴じ（週刊誌綴じ）のブック綴じコピーを行う場合について説明する。
【０１５１】
中綴じ（週刊誌綴じ）のブック綴じコピーを行う場合には、両面コピーモードが使用される。例えば、Ａ４サイズの８枚の原稿Ｍを使用してＡ３サイズの記録紙Ｐに中綴じ用の左綴じコピーでのブック綴じコピーを行う場合、各記録紙Ｐにはそれぞれ、図１６（ａ）（ｂ）（ｃ）（ｄ）に示すように、印刷される。
【０１５２】
ここで、本実施の形態では、左綴じコピーであるので、最初に原稿束の最下位の原稿Ｍを読み込み、最初に読み込んだ原稿Ｍは、一旦、その画像情報が画像メモリ６２に記憶される。そして、２枚目の原稿Ｍを原稿束の最上位から読み込み、原稿台３１の規定位置で印字を行い、かつ上記画像メモリ６２に記憶された最初の原稿Ｍを並べて印字するようになっている。そして、その記録紙Ｐの表面の印刷が終了すると、その記録紙Ｐを反転し、原稿束の最上位の原稿Ｍを読み込み、その原稿Ｍの画像情報が一旦画像メモリ６２に記憶される。そして、２枚目の原稿Ｍを原稿束の最下位から読み込み、原稿台３１の規定位置で印字を行い、かつ上記画像メモリ６２に記憶された原稿Ｍを並べて印字するようになっている。
【０１５３】
これを繰り返すことにより、図１６（ａ）（ｂ）（ｃ）（ｄ）に示すブック綴じコピーが完成する。そして、これら印刷されたＡ３サイズの記録紙Ｐをそれぞれ表面の中央を谷折りして重ね、中央位置にてステープルにて止めることにより中綴じ（週刊誌綴じ）のブック綴じによる製本が完成する。
【０１５４】
ここで、中綴じ（週刊誌綴じ）のブック綴じコピーでは、Ａ３サイズの記録紙Ｐの表面及び裏面にＡ３サイズの原稿Ｍを並べて印刷するので、上述した図１６（ａ）（ｂ）（ｃ）（ｄ）に示すように、原稿Ｍの枚数が記録紙Ｐの全てのページを印刷する場合の他に、図１７（ａ）（ｂ）（ｃ）（ｄ）に示すように、白ページを１枚挿入する場合、図１８（ａ）（ｂ）（ｃ）（ｄ）に示すように、白ページを２枚挿入する場合、図１９（ａ）（ｂ）（ｃ）（ｄ）に示すように、白ページを３枚挿入する場合がある。
【０１５５】
そして、その白ページの挿入場所は、上記のものに限らないと、ブック綴じコピーをして製本したときに、白ページを最終ページ側にまとめることができなくなる。
【０１５６】
これらの印字の順序は、８枚の場合は、１：８ページ、２：１ページ、３：２ページ、４：７ぺ一ジ、５：６ページ、６：３ページ、７：４ページ、８：５ページである。７枚の場合の印字順序は、１：白、２：１ページ、３：２ページ、４：７ぺ一ジ、５：６ページ、６：３ページ、７：４ページ、８：５ページである。６枚の場合の印字順序は、１：白、２：１ページ、３：２ページ、４：白、５：６ページ、６：３ページ、７：４ページ、８：５ページである。５枚の場合の印字順序は、１：白、２：１ページ、３：２ページ、４：白、５：白、６：３ページ、７：４ページ、８：５ページである。
【０１５７】
一方、これらのブック綴じコピーを行う場合の、原稿Ｍの給紙順序は、例えば、８枚、７枚、６枚、５枚の原稿束においては表１に示すようになる。
【０１５８】
【表１】
0003670194.tif 000002
【０１５９】
すなわち、原稿枚数が８枚の場合、１番目：１ページ、２番目：８ページ、３番目：７ページ、４番目：２ページ、５番目：３ページ、６番目：６ページ、７番目：５ページ、８番目：４ページの順番で給紙される。次に、原稿枚数が７枚の場合、１番目：１ページ、２番目：７ページ、３番目：２ページ、４番目：３ページ、５番目：６ページ、６番目：５ページ、７番目：４ページの順番で給紙される。また、原稿枚数が６枚の場合、１番目：１ページ、２番目：２ページ、３番目：３ページ、４番目：６ページ、５番目：５ページ、６番目：４ページの順番で給紙される。最後に、原稿枚数が５枚の場合、１番目：１ページ、２番目４２ページ、３番目：３ページ、４番目：５ページ、５番目：４ページの順番で給紙される。
【０１６０】
そして、上記のＡ４サイズの原稿Ｍの給紙順序によるＡ３サイズの記録紙Ｐへの両面印刷は、原稿Ｍが８枚、７枚、６枚又は５枚によって、それぞれ図２０〜図２３に示すフローチャートにて行われる。
【０１６１】
すなわち、原稿Ｍが８枚の場合においては、図２０のフローチャートに示すように、先ず、１番目に第１ページの原稿Ｍが給紙されると（Ｓ４１）、その原稿Ｍの画像データを読み込んで画像メモリ６２に記憶する（Ｓ４２）。次いで、２番目に第８ページの原稿Ｍが給紙され（Ｓ４３）、その原稿Ｍの画像データを読み込んでレーザ出力変換部（ＬＳＵ）７４に転送し（Ｓ４４）、引き続き記憶された画像データをレーザ出力変換部７４に転送する（Ｓ４５）。そして、この２枚の画像データを並べて１枚目の記録紙Ｐの表面に印字する（Ｓ４６）。
【０１６２】
次に、再び、Ｓ４１に戻って、３番目に第７ページの原稿Ｍが給紙され、４番目に第２ページの原稿Ｍが給紙されて同様にして１枚目の記録紙Ｐの裏面に印字される。同様にして、Ｓ４１に戻って、５番目〜８番目の原稿Ｍが給紙されて印字処理される。
【０１６３】
この結果、Ｓ４１からＳ４６までの工程を４回繰り返すことにより、原稿Ｍが８枚のときのブック綴じコピーが完成する。
【０１６４】
次に、原稿Ｍが７枚の場合においては、図２１のフローチャートに示すように、先ず、１番目に第１ページの原稿Ｍが給紙されると（Ｓ５１）、その原稿Ｍの画像データを読み込んで画像メモリ６２に記憶する（Ｓ５２）。次いで、予め記憶された白データをレーザ出力変換部（ＬＳＵ）に転送し（Ｓ５３）、引き続き記憶された画像データをレーザ出力変換部７４に転送する（Ｓ５４）。そして、この白データと原稿Ｍの画像データとを並べて１枚目の記録紙Ｐの表面に印字する（Ｓ５５）。
【０１６５】
次いで、２番目に第７ページの原稿Ｍが給紙されると（Ｓ５６）、その原稿Ｍの画像データを読み込んで画像メモリ６２に記憶する（Ｓ５７）。次いで、３番目に第２ページの原稿Ｍが給紙され（Ｓ５８）、その原稿Ｍの画像データを読み込んでレーザ出力変換部７４に転送し（Ｓ５９）、引き続き記憶された画像データをレーザ出力変換部７４に転送する（Ｓ６０）。そして、この２枚の画像データを並べて１枚目の記録紙Ｐの裏面に印字する（Ｓ６１）。
【０１６６】
次に、再び、Ｓ５６に戻って、４番目に第３ページの原稿Ｍが給紙され、５番目に第６ページの原稿Ｍが給紙されて同様にして２枚目の記録紙Ｐの表面に印字される。同様にして、Ｓ５６に戻って、６番目〜７番目の原稿Ｍが給紙され、印字処理される。
【０１６７】
この結果、Ｓ５１からＳ５５までと、Ｓ５６からＳ６１までの工程を３回繰り返すこととにより、原稿Ｍが７枚のときのブック綴じコピーが完成する。
【０１６８】
次に、原稿Ｍが６枚の場合においては、図２２のフローチャートに示すように、先ず、１番目に第１ページの原稿Ｍが給紙され（Ｓ７１）、その原稿Ｍの画像データを読み込んで画像メモリ６２に記憶する（Ｓ７２）。次いで、予め記憶された白データをレーザ出力変換部（ＬＳＵ）に転送し（Ｓ７３）、引き続き記憶された画像データをレーザ出力変換部７４に転送する（Ｓ７４）。そして、この白データと原稿Ｍの画像データとを並べて１枚目の記録紙Ｐの表面に印字する（Ｓ７５）。
【０１６９】
次いで、２番目に第２ページの原稿Ｍが給紙されると（Ｓ７６）、その原稿Ｍの画像データを読み込んでレーザ出力変換部７４に転送し（Ｓ７７）、引き続き予め記憶された白データをレーザ出力変換部に転送する（Ｓ７８）。そして、この第２ページの画像データと白データとを並べて１枚目の記録紙Ｐの裏面に印字する（Ｓ７９）。
【０１７０】
次いで、３番目に第３ページの原稿Ｍが給紙されると（Ｓ８０）、その原稿Ｍの画像データを読み込んで画像メモリ６２に記憶する（Ｓ８１）。次いで、４番目に第６ページの原稿Ｍが給紙されると（Ｓ８２）、その原稿Ｍの画像データを読み込んでレーザ出力変換部７４に転送し（Ｓ８３）、引き続き記憶された画像データをレーザ出力変換部７４に転送する（Ｓ８４）。そして、この２枚の画像データを並べて２枚目の記録紙Ｐの表面に印字する（Ｓ８５）。
【０１７１】
次に、再び、Ｓ８０に戻って、５番目に第５ページの原稿Ｍが給紙され、６番目に第４ページの原稿Ｍが給紙されて同様にして２枚目の記録紙Ｐの裏面に印字される（Ｓ８５）。
【０１７２】
この結果、Ｓ７１からＳ７９までと、Ｓ８０からＳ８５までの工程を２回繰り返すことにより、原稿Ｍが６枚のときのブック綴じコピーが完成する。
【０１７３】
次に、原稿Ｍが５枚の場合においては、図２３のフローチャートに示すように、先ず、１番目に第１ページの原稿Ｍが給紙され（Ｓ９１）、その原稿Ｍの画像データを読み込んで画像メモリ６２に記憶する（Ｓ９２）。次いで、予め記憶された白データをレーザ出力変換部（ＬＳＵ）に転送し（Ｓ９３）、引き続き記憶された画像データをレーザ出力変換部７４に転送する（Ｓ９４）。そして、この白データと第１ページの原稿Ｍの画像データとを並べて１枚目の記録紙Ｐの表面に印字する（Ｓ９５）。
【０１７４】
次いで、２番目に第２ページの原稿Ｍが給紙されると（Ｓ９６）、その原稿Ｍの画像データを読み込んでレーザ出力変換部７４に転送し（Ｓ９７）、引き続き予め記憶された白データをレーザ出力変換部に転送する（Ｓ９８）。そして、この第２ページの画像データと白データとを並べて１枚目の記録紙Ｐの裏面に印字する（Ｓ９９）。
【０１７５】
次いで、３番目に第３ページの原稿Ｍが給紙されると（Ｓ１００）、その第３ページの画像データを読み込んで画像メモリ６２に記憶する（Ｓ１０１）。次いで、予め記憶された白データをレーザ出力変換部７４に転送し（Ｓ１０２）、引き続き記憶された第３ページの画像データをレーザ出力変換部７４に転送する（Ｓ１０３）。そして、この白データと第３ページの画像データとを並べて２枚目の記録紙Ｐの表面に印字する（Ｓ１０４）。
【０１７６】
次いで、４番目に第５ページの原稿Ｍが給紙されると（Ｓ１０５）、その第５ページの画像データを読み込んで画像メモリ６２に記憶する（Ｓ１０６）。次いで、５番目に第４ページの原稿Ｍが給紙されると（Ｓ１０７）、その第４ページの画像データを読み込んでレーザ出力変換部７４に転送し（Ｓ１０８）、引き続き記憶された第５ページの画像データをレーザ出力変換部７４に転送する（Ｓ１０９）。そして、この２枚の画像データを並べて２枚目の記録紙Ｐの裏面に印字する（Ｓ１１０）。
【０１７７】
これにより、原稿Ｍが５枚のときのブック綴じコピーが完成する。
【０１７８】
上述した原稿Ｍが８枚、７枚、６枚又は５枚による各フローチャートにより、一般的に、中綴じ（週刊誌綴じ）のブック綴じコピーを行う場合には、原稿束を最上位から読むか最下位から読むかの読み込ませ方は、原稿Ｍの枚数が４の倍数か、４の倍数−１か、４の倍数−２か、４の倍数−３かの４通りがあることが分かる。
【０１７９】
すなわち、中綴じ（週刊誌綴じ）のブック綴じコピーを行う場合には、図２４のフローチャートに示すように、原稿給紙トレイ２に原稿面を下に向けて原稿束をセットした後（Ｓ２０１）、原稿枚数の設定を行うと（Ｓ２０２）、先ず、原稿Ｍの枚数が４の倍数か（Ｓ２０３）、４の倍数−１か（Ｓ２０４）、４の倍数−２かの判定を行う（Ｓ２０５）。この演算方法としては、ディジタル複写機の内部に除算回路を設け、この回路によって、原稿枚数を４で割って商をｎ、余りをａとする４ｎ−ａを算出し、余りａにて判断することが可能である。
【０１８０】
そして、原稿Ｍの枚数が４の倍数であれば４ｎ処理を行い（Ｓ２０６）、原稿Ｍの枚数が４の倍数−１であれば４ｎ−１処理を行い（Ｓ２０７）、原稿Ｍの枚数が４の倍数−２であれば４ｎ−２処理を行い（Ｓ２０８）、原稿Ｍの枚数が４の倍数−３であれば４ｎ−３処理を行う（Ｓ２０９）。
【０１８１】
上記の４ｎ処理では、図２５のフローチャートに示すように、先ず、原稿束の最下位をピックアップし（Ｓ２１１）、次いで、原稿束の最上位をピックアップする（Ｓ２１２）。
【０１８２】
次に、原稿束の最上位をピックアップし（Ｓ２１３）、次いで、原稿束の最下位をピックアップする（Ｓ２１４）。
【０１８３】
次に、原稿Ｍが残っているか否かを判断し（Ｓ２１５）、原稿Ｍが残っている場合にはＳ２１１に戻り、Ｓ２１１からＳ２１５までの処理を原稿Ｍが無くなるまで繰り返す。
【０１８４】
また、上記の４ｎ−１処理では、図２６のフローチャートに示すように、先ず、原稿束の最下位をピックアップし（Ｓ２２１）、次いで、原稿束の最上位をピックアップする（Ｓ２２２）。
【０１８５】
次に、原稿束の最下位をピックアップし（Ｓ２２３）、次いで、原稿Ｍが残っているか否かを判断する（Ｓ２２４）。
【０１８６】
原稿Ｍが残っている場合には上記の４ｎ処理を行い（Ｓ２２５）、原稿Ｍが無くなるまでこの４ｎ処理を繰り返す。
【０１８７】
また、上記の４ｎ−２処理では、図２７のフローチャートに示すように、先ず、原稿束の最下位をピックアップし（Ｓ２３１）、次いで、原稿束の最下位をピックアップする（Ｓ２３２）。
【０１８８】
次に、原稿Ｍが残っているか否かを判断し（Ｓ２３３）、原稿Ｍが残っている場合には上記の４ｎ処理を行い（Ｓ２３４）、原稿Ｍが無くなるまでこの４ｎ処理を繰り返す。
【０１８９】
さらに、上記の４ｎ−３処理では、図２８のフローチャートに示すように、先ず、原稿束の最下位をピックアップし（Ｓ２４１）、次いで、原稿束の最下位をピックアップする（Ｓ２４２）。
【０１９０】
次に、原稿束の最下位をピックアップし（Ｓ２４３）、次いで、原稿束の最上位をピックアップし（Ｓ２４４）、さらに、原稿束の最下位をピックアップする（Ｓ２４５）。
【０１９１】
次に、原稿Ｍが残っているか否かを判断し（Ｓ２４６）、原稿Ｍが残っている場合には上記の４ｎ処理を行い（Ｓ２４７）、原稿Ｍが無くなるまでこの４ｎ処理を繰り返す。
【０１９２】
上記の各原稿Ｍの読み込みにより、中綴じのブック綴じコピーが可能となる。
【０１９３】
ここで、上記の原稿Ｍの給紙方法について、処理が４ｎ処理、４ｎ−１処理、４ｎ−２処理、４ｎ−３処理の異なった処理となる理由について説明する。
【０１９４】
例えば、原稿枚数が１２枚のときには、処理終了時には、記録紙Ｐの排紙トレイの状態は、図２９に示すものとなる。
【０１９５】
このとき、原稿枚数により異なる処理を用いず、全て４ｎ処理を行うと、原稿枚数が１１枚の場合は、図２９に示す７の面に印字するための原稿を、自動原稿搬送装置１０が原稿給紙トレイ２にて給紙しようとしても、給紙すべき原稿Ｍが原稿給紙トレイ２上には残っていないので、図２９に示す７の面は白面となる。
【０１９６】
同様に、原稿枚数が１０枚の場合は、図２９に示す６、７の面に印字するための原稿Ｍを原稿給紙トレイ２にて給紙しようとしても、給紙すべき原稿Ｍが原稿給紙トレイ２上には残っていないので、図２９に示す６、７の面は白面となる。
【０１９７】
同様に、原稿枚数が９枚の場合は、図２９に示す６、７、８の面に印字するための原稿Ｍを原稿給紙トレイ２にて給紙しようとしても、給紙すべき原稿Ｍが原稿給紙トレイ２上には残っていないので、図２９に示す６、７、８の面は白面となる。
【０１９８】
これらをブック綴じしたときに、途中にユーザにとって不必要な白のページができてしまい、中心がずれてしまう。
【０１９９】
ここで、上記の４ｎ処理、４ｎ−１処理、４ｎ−２処理及び４ｎ−３処理を原稿枚数により使い分けると、原稿枚数が１１枚の場合は、図２９に示す１２の面が白面となるように４ｎ−１処理によって自動原稿搬送装置１０が原稿給紙トレイ２から原稿Ｍを給紙する。同様に、原稿枚数が１０枚の場合は、図２９に示す１１、１２の面が白面となるように４ｎ−２処理によって自動原稿搬送装置１０が原稿給紙トレイ２から原稿Ｍを給紙する。同様に、原稿枚数が９枚の場合は、図２９に示す１０、１１、１２の面が白面となるように、４ｎ−３処理によって自動原稿搬送装置１０が原稿給紙トレイ２から原稿Ｍを給紙する。
【０２００】
これをブック綴じにしたとき、ユーザにとって不必要な白のページは、全て後半部となるので、中心がずれることもなくなる。
【０２０１】
以上述べたような方法を用いることにより、原稿Ｍを自動原稿搬送装置１０の原稿給紙トレイ２にセットするだけで、ユーザが原稿Ｍをその都度セットすることなしにブック綴じコピーを作成するための自動原稿搬送装置１０による給紙が実現できる。
【０２０２】
上記の中綴じかつ左綴じのブック綴じコピーにおける自動原稿搬送装置１０の上記の４パターンの具体的な制御動作を、全体を通して説明する。
【０２０３】
ここでは、ｎ＝３として、４ｎ処理では原稿Ｍが１２枚、４ｎ−１処理では原稿Ｍが１１枚、４ｎ−２処理では原稿Ｍが１０枚、４ｎ−３処理では原稿Ｍが９枚であるとして説明する。
【０２０４】
これらの場合、記録紙Ｐの枚数はいずれも３枚となるが、４ｎ処理である原稿Ｍが１２枚の場合、図３０に示すように、記録紙Ｐには４枚の原稿Ｍの像が片面に２像ずつ計４面にわたって複写される。
【０２０５】
ここで、同図における黒三角矢印は記録紙Ｐの先頭方向を示している。つまり、同図の記録紙Ｐ１表面及び記録紙Ｐ１裏面を例にとって説明すると、用紙カセット５１から給紙された記録紙Ｐ１は、用紙主搬送路５９ｃを通って、感光体４１により先ず片面に１ページ目と１２ページ目とが印字される。その後、記録紙Ｐ１は反転退避路５９ａに一旦退避される。次いで、記録紙Ｐ１の裏面に印字するときには、記録紙Ｐ１は副搬送路５９ｂを搬送されて、今度は最初の印字面の裏面に２ページ目と１１ページ目とが印字される。その後、反転退避路５９ａを通って排紙トレイに記録紙Ｐ１が排出される構成となる。
【０２０６】
以下、記録紙Ｐ２表面及び記録紙Ｐ２裏面、記録紙Ｐ３表面及び記録紙Ｐ３裏面も同様に印字され、一連の複写プロセスが完了する。
【０２０７】
他の複写パターンについても略同様の複写プロセスが実行される。
【０２０８】
すなわち、４ｎ−１処理である原稿Ｍが１１枚の場合、図３１に示すように、原稿Ｍの１２ページ目が白紙状態となる。また、４ｎ−２処理である原稿Ｍが１０枚の場合、図３２に示すように、原稿Ｍの１２ページ目及び１１ページ目が白紙状態となる。さらに、また、４ｎ−３処理である原稿Ｍが９枚の場合、図３３に示すように、原稿Ｍの１２ページ目、１１ページ目及び１０ページ目が白紙状態となる。
【０２０９】
以下、これらの複写パターンを実現するためのプロセスを詳細に説明する。なお、本実施の形態におけるディジタル複写機には、原稿Ｍの枚数をカウントする何らかの手段を備えているものとする。この原稿カウント手段については自動原稿搬送装置１０の原稿台３１に原稿カウント機構を備えても良いし、又はユーザが原稿枚数を入力する入力装置を設けても良い。
【０２１０】
原稿枚数が決定してからのプロセスフローチャートは、前記図２４のフローチャートに示すように、原稿枚数を４で割ってその余りによって余りが０のときは４ｎ処理、余りが１のときは４ｎ−１処理、余りが２のときは４ｎ−２処理、余りが３のときは４ｎ−３処理が実行される。以下、これらの複写プロセスについて、Ａ４サイズ原稿からＡ３サイズ記録紙Ｐへの中綴じかつ左綴じのブック綴じコピーの各複写プロセスを実現する手順について詳細な説明を行う。
【０２１１】
最初に、４ｎ枚原稿処理モードルーチンについて、図３４のフローチャートに基づいて説明する。
【０２１２】
同図に示すように、先ず、１枚目の原稿Ｍとして原稿束の最下位原稿をピックアップし（Ｓ３０１）、最下位原稿ピックアップローラ４によってピックアップされた最下位の原稿１枚を原稿読取部である原稿台３１に搬送する（Ｓ３０２）。搬送された原稿Ｍは、スキャナ光学系３０のスキャンによって読み取られ（Ｓ３０３）、ＣＣＤ３５に入力され、画像処理を施した後、制御部６０における画像メモリ６２に画像情報が記憶される（Ｓ３０４）。
【０２１３】
次に、２枚目の原稿Ｍとして原稿束の最上位原稿をピックアップし（Ｓ３０５）、最上位原稿ピックアップローラ３によってピックアップされた最上位の原稿１枚を原稿台３１に搬送し（Ｓ３０６）、続いて、用紙カセット５１の記録紙Ｐを記録紙半月状ローラ５２を用いてレジストローラ５４・５４に搬送し（Ｓ３０７）、上記原稿台３１に搬送されている最下位原稿を原稿台３１の規定位置で停止させる（Ｓ３０８）。その原稿Ｍをスキャナ光学系３０のスキャンによって読み取り（Ｓ３０９）、ＣＣＤ３５に入力されて画像処理を施した画像情報の先端と記録紙Ｐの先端とを合わせるタイミングで記録紙Ｐの搬送及び画像情報の感光体４１への画像照射を行うことによりダイレクト印字を行う（Ｓ３１０）。
【０２１４】
次いで、記録紙Ｐの先端から印字ポジションを算出し、最上位原稿のダイレクト印字が終了する最適タイミングにて、記憶している最下位原稿の画像情報を呼び出し感光体４１への画像照射を行う（Ｓ３１１）。
【０２１５】
そして、印字された記録紙Ｐ上の未定着トナーを定着後、記録紙Ｐを反転退避路５９ａに導く（Ｓ３１２）。
【０２１６】
次に、３枚目の原稿Ｍとして原稿給紙トレイ２に残っている原稿束の最上位原稿をピックアップし（Ｓ３１３）、さばきローラによってピックアップされた最上位の原稿１枚を原稿台３１に搬送する（Ｓ３１４）。搬送された原稿Ｍは、スキャナ光学系３０のスキャンによって読み取られ（Ｓ３１５）、ＣＣＤ３５に入力され画像処理を施した後、制御部６０の画像メモリ６２に画像情報が記憶される（Ｓ３１６）。
【０２１７】
次に、４枚目の原稿Ｍとして、原稿給紙トレイ２の原稿束の最下位原稿をピックアップし（Ｓ３１７）、最下位原稿ピックアップローラ４によってピックアップされた最下位の原稿１枚を原稿台３１に搬送し（Ｓ３１８）、原稿台３１上の規定位置で停止させる（Ｓ３１９）。
【０２１８】
そして、前述した反転退避路５９ａに導かれ待避していた記録紙Ｐを、副搬送路５９ｂを通してレジストローラ５４・５４に搬送し（Ｓ３２０）、原稿台３１上に搬送されている最下位原稿を、スキャナ光学系３０のスキャンによって読み取り（Ｓ３２１）、ＣＣＤ３５に入力して画像処理を施した画像情報の先端と記録紙Ｐの先端とを合わせるタイミングで記録紙Ｐの搬送及び画像情報の感光体４１への画像照射を行い、記録紙Ｐにダイレクトの印字を行う（Ｓ３２２）。
【０２１９】
また、記録紙Ｐの先端から印字ポジションを算出し、最上位原稿のダイレクト印字が終了する最適タイミングにて、記憶している最下位原稿の画像情報を呼び出し、感光体４１への画像照射を行う（Ｓ３２３）。
【０２２０】
そして、印字された記録紙Ｐ上の未定着トナーを定着後、記録紙Ｐを排紙トレイに排出する（Ｓ３２４）。
【０２２１】
この一連の動作によって、記録紙Ｐの表裏に所定の印字が完了する。そして、さらに、ｎ−１を新たなｎとする演算を行い（Ｓ３２５）、かつ原稿給紙トレイ２に原稿Ｍが存在するか判定を行い（Ｓ３２６）、原稿Ｍがある場合は、再度Ｓ３０１からの処理を原稿給紙トレイ２に原稿束がなくなるまで繰り返すことによって所望のページ印字が行える。
【０２２２】
なお、これらの一連の印字プロセスにおいて、ディジタル複写機や複合機において標準的な機能として備えられている自動変倍機能や画像回転機能を併用することによって、原稿サイズと記録紙サイズとが異なる場合にも対応可能である。
【０２２３】
次に、４ｎ−１枚原稿処理モードルーチンについて、図３５及び図３６に示すサブルーチンフローチャートに基づいて説明する。
【０２２４】
原稿枚数が４ｎ−１枚のときには、図３５のフローチャートに示すように、先ず、１枚目の原稿Ｍとして原稿給紙トレイ２における原稿束の最下位原稿をピックアップし（Ｓ４０１）、最下位原稿ピックアップローラ４によってピックアップされた最下位の原稿１枚を原稿読取部である原稿台３１に搬送する（Ｓ４０２）。搬送された最下位原稿は、原稿台３１上の規定位置で停止されてスキャナ光学系３０のスキャンによって読み取られ（Ｓ４０３）、ＣＣＤ３５に入力され、画像処理を施した後、制御部６０における画像メモリ６２に画像情報が記憶される（Ｓ４０４）。
【０２２５】
続いて、画像形成部４０における用紙カセット５１の記録紙Ｐを記録紙半月状ローラ５２を用いてレジストローラ５４・５４に搬送し（Ｓ４０５）、予め画像メモリ６２に別途格納された白データの画像情報を呼び出し、その白データの画像情報の先端と記録紙Ｐの先端とを合わせるタイミングで記録紙Ｐの搬送及び白データの画像情報の感光体４１への画像照射を行う（Ｓ４０６）。
【０２２６】
次いで、記録紙Ｐの先端から印字ポジションを算出し、白データの画像情報の印字が終了する最適タイミングにて、記憶している最下位原稿の画像情報を呼び出し感光体４１への画像照射を行う（Ｓ４０７）。
【０２２７】
そして、印字された記録紙Ｐ上の未定着トナーを定着後、記録紙Ｐを反転退避路５９ａに導く（Ｓ４０８）。
【０２２８】
次に、図３６のフローチャートに示すように、原稿給紙トレイ２に残っている原稿束の最上位原稿をピックアップし（Ｓ４０９）、最上位原稿ピックアップローラ３によってピックアップされた最上位の原稿１枚を原稿台３１に搬送する（Ｓ４１０）。搬送された原稿Ｍは、スキャナ光学系３０のスキャンによって読み取られ（Ｓ４１１）、ＣＣＤ３５に入力され画像処理が施された後、制御部６０の画像メモリ６２に画像情報が記憶される（Ｓ４１２）。
【０２２９】
次いで、原稿給紙トレイ２における原稿束の最下位原稿をピックアップし（Ｓ４１３）、最下位原稿ピックアップローラ４によってピックアップされた最下位の原稿１枚を原稿台３１に搬送し（Ｓ４１４）、原稿台３１上の規定位置にて停止させる（Ｓ４１５）。
【０２３０】
次いで、反転退避路５９ａに導かれ待避していた記録紙Ｐを、副搬送路５９ｂを通してレジストローラ５４・５４に搬送し（Ｓ４１６）、原稿台３１上に搬送されている最下位原稿を、スキャナ光学系３０のスキャンによって読み取り（Ｓ４１７）、ＣＣＤ３５に入力して画像処理を施した画像情報の先端と記録紙Ｐ先端とを合わせるタイミングにて記録紙Ｐの搬送及び画像情報の感光体４１への画像照射を行い、記録紙Ｐにダイレクトの印字を行う（Ｓ４１８）。また、記録紙Ｐの先端から印字ポジションを算出し、最下位原稿のダイレクト印字が終了する最適タイミングにて、画像メモリ６２に記憶している最上位原稿の画像情報を呼び出し、感光体４１への画像照射を行う（Ｓ４１９）。
【０２３１】
そして、印字された記録紙Ｐ上の未定着トナーを定着後、その記録紙Ｐを排紙トレイに排出する（Ｓ４２０）。
【０２３２】
この一連の動作によって、記録紙Ｐの表裏に、末ページが白データとなる印字が完了する。
【０２３３】
次いで、原稿給紙トレイ２には４ｎ枚の原稿Ｍが残っているはずであるので、前述したフローチャートに基づく４ｎ枚原稿処理モードルーチンの動作を行う（Ｓ４２１）。
【０２３４】
これにより、末ページが白データとなる中綴じかつ左綴じのブック綴じコピーが完了する。
【０２３５】
次に、４ｎ−２枚原稿処理モードルーチンについて、図３７及び図３８に示すサブルーチンフローチャートに基づいて説明する。
【０２３６】
原稿枚数が４ｎ−２枚のときには、図３７のフローチャートに示すように、先ず、１枚目の原稿Ｍとして原稿給紙トレイ２における原稿束の最下位原稿をピックアップし（Ｓ５０１）、最下位原稿ピックアップローラ４によってピックアップされた最下位の原稿１枚を原稿読取部である原稿台３１に搬送する（Ｓ５０２）。搬送された最下位原稿は、原稿台３１上の規定位置で停止されてスキャナ光学系３０のスキャンによって読み取られ（Ｓ５０３）、ＣＣＤ３５に入力され、画像処理を施した後、制御部６０における画像メモリ６２に画像情報が記憶される（Ｓ５０４）。
【０２３７】
続いて、画像形成部４０における用紙カセット５１の記録紙Ｐを記録紙半月状ローラ５２を用いてレジストローラ５４・５４に搬送し（Ｓ５０５）、予め画像メモリ６２に別途格納された白データの画像情報を呼び出し、その白データの画像情報の先端と記録紙Ｐの先端とを合わせるタイミングで記録紙Ｐの搬送及び白データの画像情報の感光体４１への画像照射を行う（Ｓ５０６）。
【０２３８】
次いで、記録紙Ｐの先端から印字ポジションを算出し、白データの画像情報の印字が終了する最適タイミングにて、記憶している最下位原稿の画像情報を呼び出し感光体４１への画像照射を行う（Ｓ５０７）。
【０２３９】
そして、印字された記録紙Ｐ上の未定着トナーを定着後、記録紙Ｐを反転退避路５９ａに導く（Ｓ５０８）。
【０２４０】
次に、図３８のフローチャートに示すように、原稿給紙トレイ２に残っている原稿束の最下位原稿をピックアップし（Ｓ５０９）、最下位原稿ピックアップローラ４によってピックアップされた最下位の原稿１枚を原稿台３１に搬送し（Ｓ５１０）、原稿台３１上の規定位置にて停止させる（Ｓ５１１）。
【０２４１】
次いで、反転退避路５９ａに導かれ待避していた記録紙Ｐを、副搬送路５９ｂを通してレジストローラ５４・５４に搬送し（Ｓ５１２）、原稿台３１上に搬送されている最下位原稿を、スキャナ光学系３０のスキャンによって読み取り（Ｓ５１３）、ＣＣＤ３５に入力して画像処理を施した最下位原稿の画像情報の先端と記録紙Ｐ先端とを合わせるタイミングにて記録紙Ｐの搬送及び最下位原稿の画像情報の感光体４１への画像照射を行い、記録紙Ｐにダイレクトの印字を行う（Ｓ５１４）。また、記録紙Ｐの先端から印字ポジションを算出し、最下位原稿の画像情報のダイレクト印字が終了する最適タイミングにて、画像メモリ６２に別途格納されている白データの画像情報を呼び出し、感光体４１への画像照射を行う（Ｓ５１５）。
【０２４２】
そして、印字された記録紙Ｐ上の未定着トナーを定着後、その記録紙Ｐを排紙トレイに排出する（Ｓ５１６）。
【０２４３】
この一連の動作によって、記録紙Ｐの表裏に、末ページ及び末ページ１つ前が白データとなる印字が完了する。
【０２４４】
次いで、原稿給紙トレイ２には４ｎ枚の原稿Ｍが残っているはずであるので、前述したフローチャートに基づく４ｎ枚原稿処理モードルーチンの動作を行う（Ｓ５１７）。
【０２４５】
これにより、末ページ及び末ページ１つ前が白データとなる中綴じかつ左綴じのブック綴じコピーが完了する。
【０２４６】
次に、４ｎ−３枚原稿処理モードルーチンについて、図３９及び図４０に示すサブルーチンフローチャートに基づいて説明する。
【０２４７】
原稿枚数が４ｎ−３枚のときには、図３９のフローチャートに示すように、先ず、１枚目の原稿Ｍとして原稿給紙トレイ２における原稿束の最下位原稿をピックアップし（Ｓ６０１）、最下位原稿ピックアップローラ４によってピックアップされた最下位の原稿１枚を原稿読取部である原稿台３１に搬送する（Ｓ６０２）。搬送された最下位原稿は、原稿台３１上の規定位置で停止されてスキャナ光学系３０のスキャンによって読み取られ（Ｓ６０３）、ＣＣＤ３５に入力され、画像処理を施した後、制御部６０における画像メモリ６２に画像情報が記憶される（Ｓ６０４）。
【０２４８】
続いて、画像形成部４０における用紙カセット５１の記録紙Ｐを記録紙半月状ローラ５２を用いてレジストローラ５４・５４に搬送し（Ｓ６０５）、予め画像メモリ６２に別途格納された白データの画像情報を呼び出し、その白データの画像情報の先端と記録紙Ｐの先端とを合わせるタイミングで記録紙Ｐの搬送及び白データの画像情報の感光体４１への画像照射を行う（Ｓ６０６）。
【０２４９】
次いで、記録紙Ｐの先端から印字ポジションを算出し、白データの画像情報の印字が終了する最適タイミングにて、記憶している最下位原稿の画像情報を呼び出し、感光体４１への画像照射を行う（Ｓ６０７）。
【０２５０】
そして、印字された記録紙Ｐ上の未定着トナーを定着後、記録紙Ｐを反転退避路５９ａに導く（Ｓ６０８）。
【０２５１】
次に、原稿給紙トレイ２に残っている原稿束の最下位原稿をピックアップし（Ｓ６０９）、最下位原稿ピックアップローラ４によってピックアップされた最下位の原稿１枚を原稿台３１に搬送し（Ｓ６１０）、原稿台３１上の規定位置にて停止させる（Ｓ６１１）。
【０２５２】
次いで、反転退避路５９ａに導かれ待避していた記録紙Ｐを、副搬送路５９ｂを通してレジストローラ５４・５４に搬送し（Ｓ６１２）、原稿台３１上に搬送されている最下位原稿を、スキャナ光学系３０のスキャンによって読み取り（Ｓ６１３）、ＣＣＤ３５に入力して画像処理を施した最下位原稿の画像情報の先端と記録紙Ｐ先端とを合わせるタイミングにて記録紙Ｐの搬送及び最下位原稿の画像情報の感光体４１への画像照射を行い、記録紙Ｐにダイレクトの印字を行う（Ｓ６１４）。また、記録紙Ｐの先端から印字ポジションを算出し、最下位原稿の画像情報のダイレクト印字が終了する最適タイミングにて、画像メモリ６２に別途格納されている白データの画像情報を呼び出し、感光体４１への画像照射を行う（Ｓ６１５）。
【０２５３】
そして、印字された記録紙Ｐ上の未定着トナーを定着後、その記録紙Ｐを排紙トレイに排出する（Ｓ６１６）。
【０２５４】
この一連の動作によって、記録紙Ｐの表裏に、末ページ及び末ページ１つ前が白データとなる印字が完了する。
【０２５５】
次いで、図４０のフローチャートに示すように、原稿給紙トレイ２における原稿束の最下位原稿をピックアップし（Ｓ６１７）、最下位原稿ピックアップローラ４によってピックアップされた最下位の原稿１枚を原稿読取部である原稿台３１に搬送する（Ｓ６１８）。搬送された最下位原稿は、原稿台３１上の規定位置で停止されてスキャナ光学系３０のスキャンによって読み取られ（Ｓ６１９）、ＣＣＤ３５に入力され、画像処理を施した後、制御部６０における画像メモリ６２に画像情報が記憶される（Ｓ６２０）。
【０２５６】
続いて、画像形成部４０における用紙カセット５１の記録紙Ｐを記録紙半月状ローラ５２を用いてレジストローラ５４・５４に搬送し（Ｓ６２１）、予め画像メモリ６２に別途格納された白データの画像情報を呼び出し、その白データの画像情報の先端と記録紙Ｐの先端とを合わせるタイミングで記録紙Ｐの搬送及び白データの画像情報の感光体４１への画像照射を行う（Ｓ６２２）。
【０２５７】
次いで、記録紙Ｐの先端から印字ポジションを算出し、白データの画像情報の印字が終了する最適タイミングにて、記憶している最下位原稿の画像情報を呼び出し感光体４１への画像照射を行う（Ｓ６２３）。
【０２５８】
そして、印字された記録紙Ｐ上の未定着トナーを定着後、記録紙Ｐを反転退避路５９ａに導く（Ｓ６２４）。
【０２５９】
次に、原稿給紙トレイ２に残っている原稿束の最上位原稿をピックアップし（Ｓ６２５）、最上位原稿ピックアップローラ３によってピックアップされた最上位の原稿１枚を原稿台３１に搬送する（Ｓ６２６）。搬送された最上位の原稿Ｍは、スキャナ光学系３０のスキャンによって読み取られ（Ｓ６２７）、ＣＣＤ３５に入力され画像処理が施された後、制御部６０の画像メモリ６２に画像情報が記憶される（Ｓ６２８）。
【０２６０】
次いで、原稿給紙トレイ２における原稿束の最下位原稿をピックアップし（Ｓ６２９）、最下位原稿ピックアップローラ４によってピックアップされた最下位の原稿１枚を原稿台３１に搬送し（Ｓ６３０）、原稿台３１上の規定位置にて停止させる（Ｓ６３１）。
【０２６１】
次いで、反転退避路５９ａに導かれ待避していた記録紙Ｐを、副搬送路５９ｂを通してレジストローラ５４・５４に搬送し（Ｓ６３２）、原稿台３１上に搬送されている最下位原稿を、スキャナ光学系３０のスキャンによって読み取り（Ｓ６３３）、ＣＣＤ３５に入力して画像処理を施した画像情報の先端と記録紙Ｐ先端とを合わせるタイミングにて記録紙Ｐの搬送及び画像情報の感光体４１への画像照射を行い、記録紙Ｐにダイレクトの印字を行う（Ｓ６３４）。また、記録紙Ｐの先端から印字ポジションを算出し、最下位原稿のダイレクト印字が終了する最適タイミングにて、画像メモリ６２に記憶している最上位原稿の画像情報を呼び出し、感光体４１への画像照射を行う（Ｓ６３５）。
【０２６２】
そして、印字された記録紙Ｐ上の未定着トナーを定着後、その記録紙Ｐを排紙トレイに排出する（Ｓ６３６）。
【０２６３】
この一連の動作によって、２枚目の記録紙Ｐの表裏に、末ページ２つ前が白データとなる印字が完了する。
【０２６４】
次いで、原稿給紙トレイ２には４ｎ枚の原稿Ｍが残っているはずであるので、前述したフローチャートに基づく４ｎ枚原稿処理モードルーチンの動作を行う（Ｓ６３７）。
【０２６５】
これにより、末ページ、末ページ１つ前及び末ページ２つ前が白データとなる中綴じかつ左綴じのブック綴じコピーが完了する。
【０２６６】
以上のフローチャートによって、原稿Ｍの枚数が何枚であっても、中綴じかつ左綴じのブック綴じコピーを白データの画像情報を末尾に回して適切に行うことができる。
【０２６７】
なお、上記の説明では、中綴じかつ左綴じのブック綴じコピーについてのものであったが、中綴じかつ右綴じのブック綴じコピーの場合もあり得る。しかし、その場合には、読み取った原稿Ｍの画像情報を記憶することなく順次印刷すれば良く、かつ最上位及び最下位の順序並びに、白データの画像情報の挿入位置に留意すれば、上記と略同様の流れにて行うことができる。したがって、説明を省略する。
【０２６８】
また、これらの一連の印字プロセスにおいて、ディジタル複写機や複合機において標準的な機能として備えられている自動変倍機能や画像回転機能を併用することによって、原稿サイズと記録紙サイズとが異なる場合にも対応可能である。
【０２６９】
このように、本実施の形態のディジタル複写機では、自動原稿搬送装置１０を用いて原稿Ｍを供給し、その原稿Ｍの画像情報を読み取り、記録紙Ｐに片面印字又は両面印字することができる。
【０２７０】
そして、このディジタル複写機には、読み取られた一枚の原稿Ｍの画像情報を記憶する画像メモリ６２が設けられる一方、読み取られる原稿Ｍに対して、その原稿Ｍの画像情報を記録紙Ｐの搬送方向の前半部若しくは後半部に直接印字するか、又はその原稿Ｍの画像情報を画像メモリ６２に一旦記憶し、記録紙Ｐの搬送方向の前半部若しくは後半部に印字された画像情報に並べて印字するかの選択を行うデータバス切替部７３が設けられている。
【０２７１】
すなわち、袋綴じや中綴じのブック綴じコピーにおいては、記録紙Ｐへのページ配置が重要となるため、読み込んだ原稿Ｍを直ぐに印字できない場合がある。
【０２７２】
このとき、本実施の形態では、読み取られた一枚の原稿Ｍの画像情報を記憶する画像メモリ６２が設けられているので、一旦、その読み込んだ原稿Ｍを記憶しておくことができる。
【０２７３】
このような、読み取られる原稿Ｍに対して、その原稿Ｍの画像情報を記録紙Ｐの搬送方向の前半部若しくは後半部に直接印字するか、又はその原稿Ｍの画像情報を画像メモリ６２に一旦記憶し、記録紙Ｐの搬送方向の前半部若しくは後半部に印字された画像情報に並べて印字するかの選択は、データバス切替部７３によって行われる。
【０２７４】
したがって、データバス切替部７３による選択動作により、上述したように、最初の原稿Ｍの画像情報を先ず画像メモリ６２に一旦記憶し、次に読み込んだ原稿Ｍを先に印字し、その後に、記憶した原稿の画像情報を並べて印字することが可能となる。この結果、ブック綴じコピーに適切なページ配置とした記録紙Ｐへの印字が可能となる。
【０２７５】
そして、この印字方法では、原稿Ｍの画像情報を記憶する画像メモリ６２の記憶容量としては、原稿一枚の画像情報を記憶できる容量があれば足りる。
【０２７６】
この結果、ブック綴じコピーを行うに際して、搭載している画像メモリ６２の容量によって原稿枚数が制限されるのを回避し得るディジタル複写機を提供することができる。
【０２７７】
また、本実施の形態のディジタル複写機では、印字面が片面のみの場合には、データバス切替部７３は、原稿枚数が奇数か又は偶数かによって、その原稿Ｍの画像情報を記録紙Ｐの搬送方向の前半部若しくは後半部に直接印字するか、又はその原稿Ｍの画像情報を画像メモリ６２に一旦記憶し、記録紙Ｐの搬送方向の前半部若しくは後半部に印字された画像情報に並べて印字するかの選択を行う。
【０２７８】
すなわち、袋綴じのブック綴じコピーにおいては、記録紙Ｐの片面に印字すれば足りる。そして、この場合、原稿Ｍを読み取る際には、原稿束の最上位又は最下位のいずれか一方から順に原稿台３１へ搬送すれば良い。すなわち、交互に取る必要はない。
【０２７９】
ここで、袋綴じのブック綴じコピーにおいては、右綴じと左綴じとがあり、記録紙Ｐへのページ配置が重要となるため、読み込んだ原稿Ｍを直ぐに印字できない場合がある。
【０２８０】
このとき、本実施の形態では、読み取られた一枚の原稿Ｍの画像情報を記憶する画像メモリ６２が設けられているので、一旦、その読み込んだ原稿Ｍを記憶しておくことができる。
【０２８１】
一方、袋綴じのブック綴じコピーにおいては、原稿枚数が奇数の場合には、製本の最後のページが白ページとなるように操作する必要がある。
【０２８２】
しかし、このような場合においても、本実施の形態では、データバス切替部７３は、原稿枚数が奇数か又は偶数かによって、その原稿Ｍの画像情報を記録紙Ｐの搬送方向の前半部若しくは後半部に直接印字するか、又はその原稿Ｍの画像情報を画像メモリ６２に一旦記憶し、記録紙Ｐの搬送方向の前半部若しくは後半部に印字された画像情報に並べて印字するかの選択を行う。
【０２８３】
したがって、データバス切替部７３による選択動作により、最初の原稿の画像情報を先ず画像メモリ６２に一旦記憶し、例えば、予め別途記憶しておいた白ページの画像情報を最初に印字し、その後に、記憶した原稿Ｍの画像情報を並べて印字することが可能となる。この結果、袋綴じのブック綴じコピーに適切なページ配置とした記録紙Ｐへの印字が可能となる。
【０２８４】
そして、この印字方法では、原稿Ｍの画像情報を記憶する画像メモリ６２の記憶容量としては、原稿一枚の画像情報を記憶できる容量と、予め別途に記憶しておく白ページの画像情報の容量とがあれば足りる。
【０２８５】
この結果、袋綴じのブック綴じコピーを行うに際して、搭載している画像メモリ６２の容量によって原稿枚数が制限されるのを回避し得るディジタル複写機を提供することができる。
【０２８６】
一方、中綴じのブック綴じコピーにおいては、記録紙Ｐの片面には、例えば、原稿Ｍの最初のページと最後のページとが並べて印字される。
【０２８７】
したがって、原稿Ｍの読み取りは、原稿束の最上位と最下位との両方から行う必要がある。
【０２８８】
このとき、本実施の形態のディジタル複写機では、自動原稿搬送装置１０には、載置される原稿束における最上位の原稿又は最下位の原稿のいずれかを選択して順次原稿台３１へ搬送する原稿給紙部１が設けられている。
【０２８９】
このため、原稿給紙部１が、載置される原稿束における最上位の原稿又は最下位の原稿のいずれかを選択して順次原稿台３１へ搬送する。
【０２９０】
したがって、従来では、このように、載置される原稿束における最上位の原稿Ｍ又は最下位の原稿Ｍのいずれかを選択して順次原稿台３１へ搬送することができなかったので、取り敢えず原稿Ｍを全て読み取り、記憶しておく必要があった。
【０２９１】
しかし、本実施の形態では、記録紙Ｐの片面に、例えば、原稿Ｍの最初のページと最後のページとを並べて印字する場合においても、載置された原稿束の上下から原稿Ｍを読み込ますことができるので、記憶容量の削減を図ることができる。
【０２９２】
この結果、中綴じのブック綴じコピーを行うに際して、搭載している画像メモリ６２の容量によって原稿枚数が制限されるのを回避し得るディジタル複写機を提供することができる。
【０２９３】
また、中綴じのブック綴じコピーにおいては、記録紙Ｐの両面に印字される。
【０２９４】
そして、原稿枚数が４ｎ（ｎは整数）のときには、記録紙Ｐの表面には、上述したように、例えば、原稿Ｍの最後のページと最初のページとがこの順に印字される一方、記録紙Ｐの裏面には例えば、第２ページと最後のページ前１ページとがこの順に印字される。しかしながら、この印字の順序は原稿枚数が４ｎ−１枚、４ｎ−２枚及び４ｎ−３枚では異なってくる。また、白ページの画像情報を挿入することによってもその順序は異なってくる。
【０２９５】
しかし、本実施の形態のディジタル複写機では、原稿給紙部１は、原稿枚数に基づいて載置される原稿束における最上位の原稿又は最下位の原稿Ｍのいずれかを選択する。
【０２９６】
したがって、原稿給紙部１が、原稿枚数に基づいて載置される原稿束における最上位の原稿Ｍ又は最下位の原稿Ｍのいずれかを選択するので、中綴じのブック綴じコピーを行うに際して、原稿束における最上位の原稿Ｍ又は最下位の原稿Ｍの適切な方を取り込んで原稿台３１にて読ませることができる。
【０２９７】
この結果、載置された原稿束の最上位又は最下位のいずれかの原稿Ｍの取り出しが容易となる。
【０２９８】
また、本実施の形態のディジタル複写機では、印字面が両面の場合には、データバス切替部７３は、原稿枚数を４で割った余りが０、１、２又は３によって、その原稿Ｍの画像情報を記録紙Ｐの搬送方向の前半部若しくは後半部に直接印字するか、又はその原稿Ｍの画像情報を画像メモリ６２に一旦記憶し、記録紙Ｐの搬送方向の前半部若しくは後半部に印字された画像情報に並べて印字するかの選択を行う。
【０２９９】
すなわち、中綴じのブック綴じコピーにおいては、記録紙Ｐの両面に印字しなければならない。
【０３００】
ここで、中綴じのブック綴じコピーにおいては、右綴じと左綴じとがあり、記録紙Ｐへのページ配置が重要となるため、読み込んだ原稿Ｍを直ぐに印字できない場合がある。
【０３０１】
このとき、本実施の形態では、読み取られた一枚の原稿Ｍの画像情報を記憶する画像メモリ６２が設けられているので、一旦、その読み込んだ原稿Ｍを記憶しておくことができる。
【０３０２】
一方、中綴じのブック綴じコピーにおいては、上述したように、原稿枚数が４ｎ（ｎは整数）のときには、記録紙Ｐの表面には、例えば、原稿Ｍの最後のページと最初のページとがこの順に印字される一方、記録紙Ｐの裏面には例えば、第２ページと最後のページ前１ページとがこの順に印字される。しかしながら、この印字の順序は原稿枚数が４ｎ−１枚、４ｎ−２枚、４ｎ−３枚では異なってくる。また、白ページの画像情報を挿入することによってもその順序は異なってくる。
【０３０３】
しかし、本実施の形態では、印字面が両面の場合には、データバス切替部７３は、原稿枚数を４で割った余りが０、１、２又は３によって、その原稿の画像情報を記録紙Ｐの搬送方向の前半部若しくは後半部に直接印字するか、又はその原稿Ｍの画像情報を画像メモリ６２に一旦記憶し、記録紙Ｐの搬送方向の前半部若しくは後半部に印字された画像情報に並べて印字するかの選択を行う。
【０３０４】
したがって、印字面が両面の場合には、データバス切替部７３による選択動作により、原稿枚数に基づいて、最初の原稿Ｍの画像情報を先ず画像メモリ６２に一旦記憶し、予め別途記憶しておいた白ページの画像情報を最初に印字し、その後に、記憶した原稿Ｍの画像情報を並べて印字することが可能となる。
【０３０５】
この結果、中綴じのブック綴じコピーに適切なページ配置とした記録紙Ｐへの印字が可能となる。
【０３０６】
そして、この印字方法では、原稿Ｍの画像情報を記憶する画像メモリ６２の記憶容量としては、原稿一枚の画像情報を記憶できる容量と、予め別途に記憶しておく白ページの画像情報の容量とがあれば足りる。
【０３０７】
この結果、中綴じのブック綴じコピーを行うに際して、搭載している画像メモリ６２の容量によって原稿枚数が制限されるのを回避し得るディジタル複写機を提供することができる。
【０３０８】
また、本実施の形態のディジタル複写機では、ＣＰＵ６１は画像データ切替制御６８において、原稿枚数に基づいて、読み取り原稿Ｍに代えて、白ページの画像情報を挿入させる。
【０３０９】
したがって、ブック綴じコピーにおいて、例えば、最後のページを白ページにしたいときに、ＣＰＵ６１の画像データ切替制御６８によって容易に白ページを挿入することができる。
【０３１０】
ところで、原稿給紙トレイ２に載置された原稿束の最上位と最下位とから原稿Ｍを取り出した場合には、一か所の排出場所しかない場合には、印字が終了したときに原稿束がページ順にならないので、後に原稿Ｍを昇順又は降順に並べ替える作業が必要となり、却って手間となる。
【０３１１】
しかし、本実施の形態のディジタル複写機では、自動原稿搬送装置１０には、載置される原稿束における最上位の原稿Ｍ又は最下位の原稿Ｍのいずれかを選択して読み取られた原稿Ｍ原稿を、一旦最上位の原稿Ｍと最下位の原稿Ｍとの２つに分けて排出する一方、その排出された一方の原稿束を再度一枚ずつ取り出し、他方の排出されている原稿束の昇順又は降順に沿うように積み重ねて排出させる原稿排紙部１１が設けられている。
【０３１２】
したがって、原稿排紙部１１は、先ず、原稿給紙トレイ２に載置される原稿束における最上位の原稿Ｍ又は最下位の原稿Ｍのいずれかを選択して読み取られた原稿Ｍを一旦最上位の原稿Ｍと最下位の原稿Ｍとの２つに分けて排出する。次いで、原稿排紙部１１は、その排出された一方の下原稿排紙トレイ１３ｂの原稿束を再度一枚ずつ取り出し、他方の上原稿排紙トレイ１３ａの排出されている原稿束の昇順又は降順に沿うように積み重ねて排出させる。
【０３１３】
したがって、原稿Ｍの再排出が終了した時点では、排出された原稿束は昇順に並んでいる。なお、降順に並べることも可能である。
【０３１４】
この結果、印字が終了した後も、排出原稿束を元の原稿束のページ順に整理された状態で取り出すことができる。
【０３１５】
また、上述したように、原稿給紙トレイ２における原稿束の最上位と最下位とから原稿Ｍを取り出した場合には、先頭原稿からの昇順並び原稿と、末尾原稿からの降順並び原稿とが交互に排紙されるため、排紙された原稿Ｍは元の並びにはならない。
【０３１６】
しかし、本実施の形態のディジタル複写機では、原稿排紙部１１は、読み取られた原稿Ｍを一旦最上位の原稿と最下位の原稿との２つに分けて排出する上下２段の上原稿排紙トレイ１３ａ及び下原稿排紙トレイ１３ｂと、各上下のいずれかの上原稿排紙トレイ１３ａ又は下原稿排紙トレイ１３ｂに排紙された原稿Ｍを取り出してスイッチバックして他の下原稿排紙トレイ１３ｂ又は上原稿排紙トレイ１３ａに排紙するスイッチバック用搬送路１６及び原稿排紙半月ローラ２１とからなっている。
【０３１７】
したがって、印字の終了した原稿Ｍは、先頭からの原稿Ｍと末尾からの原稿Ｍとを、２つの上下２段の上原稿排紙トレイ１３ａ及び下原稿排紙トレイ１３ｂに分けて一旦排紙し、全印字完了後に、スイッチバック用搬送路１６及び原稿排紙半月ローラ２１により、下原稿排紙トレイ１３ｂから上原稿排紙トレイ１３ａに原稿Ｍを排紙することによって、最終的にページ順の揃った元の並び通りに原稿Ｍを排紙することが可能である。
【０３１８】
この結果、印字が終了した後も、確実に元の原稿束のページ順に排出原稿束を取り出すことができる。
【０３１９】
また、本実施の形態のディジタル複写機では、読み取られた一枚の原稿Ｍの画像情報を印字するときに、記録紙Ｐの搬送方向長さの１／２が原稿Ｍの搬送方向の長さと一致しない場合には、画像処理部７２が変倍して印字する。
【０３２０】
したがって、記録紙Ｐに印字する場合に、原稿Ｍの縮尺が異なっていても、記録紙Ｐには大きさを揃えて印字することができる。
【０３２１】
また、本実施の形態のディジタル複写機では、両面印字に対応すべく、記録紙Ｐの表面を印字した後、その記録紙Ｐを反転して記録紙Ｐの裏面に印字するための反転退避路５９ａ及び副搬送路５９ｂが設けられる。また、ブック綴じ両面印字する際には、原稿枚数に基づいて、原稿Ｍの画像情報を記録紙Ｐに直接印字するダイレクト印字と原稿Ｍの画像情報を画像メモリ６２に一旦記憶した後に記録紙Ｐに印字するメモリ印字とを併用して一枚の記録紙Ｐの表面に２つの原稿Ｍの画像情報を印字し、上記反転退避路５９ａ及び副搬送路５９ｂにて記録紙Ｐを反転した後、その記録紙Ｐに同様にして裏面印字する。
【０３２２】
したがって、ブック綴じ両面印字する際には、記録紙Ｐの表面に対してメモリ容量の削減を図り得る適切な印字ができる一方、その後、記録紙Ｐの印字面が反転退避路５９ａ及び副搬送路５９ｂによって反転されて記録紙Ｐの裏面に対してもメモリ容量の削減を図り得る適切な印字ができる。
【０３２３】
この結果、メモリ容量の削減を図ることができるとともに、外部手操作による記録紙Ｐの反転作業が省かれ、記録紙反転に対するユーザの負担が軽減される。
【０３２４】
また、本実施の形態のディジタル複写機では、原稿枚数を４で割ったときの余りが０のときには、第１番目に読み取られた原稿Ｍの画像情報は、画像メモリ６２に入力され、第２番目に読み取られた原稿Ｍの画像情報は、先端部として直接印字され、その後に、画像メモリ６２に収納されている原稿Ｍの画像情報を後端部に印字する。
【０３２５】
これにより、片面印字又は両面印字のいずれにおいても、原稿載置枚数に関係なくブック綴じ機構が実現可能となる。
【０３２６】
また、本実施の形態では、原稿枚数を４で割ったときの余りが１のときには、第１番目に読み取られた原稿Ｍの画像情報は画像メモリ６２に入力され、画像メモリ６２に別途格納されている白ページの画像情報を読み出して白ページの画像情報を記録紙Ｐの前半部とした後に、画像メモリ６２に格納された原稿Ｍの画像情報を後端部に印字する。
【０３２７】
これにより、両面印字において、原稿載置枚数に関係なく原稿載置枚数に関係なく白ページの画像情報を末尾に配したブック綴じコピーが実現可能となる。
【０３２８】
また、本実施の形態では、原稿枚数を４で割ったときの余りが１のときには、第２番目に読み取られた原稿Ｍの画像情報は画像メモリ６２に入力され、第３番目に読み取られた原稿Ｍの画像情報は、記録紙Ｐの前半部に直接印字され、その後に、画像メモリ６２に収納されている原稿Ｍの画像情報を記録紙Ｐの後半部に印字するようになっている。
【０３２９】
これにより、両面印字において、原稿枚数を４で割ったときの余りが１のときに、１枚目の記録紙Ｐの裏面に適切に原稿載置枚数に関係なくブック綴じコピーが実現可能となる。
【０３３０】
また、本実施の形態では、原稿枚数を４で割ったときの余りが２のときには、第１番目に読み取られた原稿Ｍの画像情報は画像メモリ６２に入力され、画像メモリ６２に別途格納されている白ページの画像情報を読み出すとともに、白ページの画像情報を記録紙Ｐの前半部とした後に、画像メモリ６２に記憶された原稿Ｍの画像情報を記録紙Ｐの後半部に印字する。
【０３３１】
これにより、両面印字において、原稿載置枚数に関係なく白ページの画像情報を末尾に配したブック綴じ機構が実現可能となる。
【０３３２】
また、本実施の形態では、原稿枚数を４で割ったときの余りが２のときには、第２番目に読み取られた原稿Ｍの画像情報は先端部に直接印字され、画像メモリ６２に別途格納されている白ページの画像情報を読み出すとともに、白ページの画像情報を記録紙Ｐの後半部に印字する。
【０３３３】
これにより、両面印字において、原稿載置枚数に関係なく白ページの画像情報を末尾前１ページに配したブック綴じ機構が実現可能となる。
【０３３４】
また、本実施の形態では、原稿枚数を４で割ったときの余りが３のときには、第１番目に読み取られた原稿Ｍの画像情報は画像メモリ６２に入力され、画像メモリ６２に別途格納されている白ページの画像情報を読み出すとともに、白ページの画像情報を記録紙Ｐの前半部とした後に、画像メモリ６２に記憶された原稿Ｍの画像情報を記録紙Ｐの後半部に印字する。
【０３３５】
これにより、両面印字において、原稿載置枚数に関係なく白ページの画像情報を末尾に配したブック綴じ機構が実現可能となる。
【０３３６】
また、本実施の形態では、原稿枚数を４で割ったときの余りが３のときには、第２番目に読み取られた原稿Ｍの画像情報は記録紙Ｐの前半部に直接印字され、その後に、画像メモリ６２に別途格納されている白ページの画像情報を読み出すとともに、白ページの画像情報を記録紙Ｐの後半部に印字する。
【０３３７】
これにより、両面印字において、原稿載置枚数に関係なく白ページの画像情報を末尾前１ページに配したブック綴じコピーが実現可能となる。
【０３３８】
また、本実施の形態では、原稿枚数を４で割ったときの余りが３のときには、第３番目に読み取られた原稿Ｍの画像情報は画像メモリ６２に入力され、画像メモリ６２に別途格納されている白ページの画像情報を読み出すとともに、白ページの画像情報を記録紙Ｐの前半部とした後に、画像メモリ６２に記憶された原稿Ｍの画像情報を記録紙Ｐの後半部に印字する。
【０３３９】
これにより、両面印字において、原稿載置枚数に関係なく白ページの画像情報を末尾前２ページに配したブック綴じコピーが実現可能となる。
【０３４０】
また、本実施の形態では、原稿枚数を４で割ったときの余りが３のときには、第４番目に読み取られた原稿Ｍの画像情報は画像メモリ６２に入力され、第５番目に読み取られた原稿Ｍの画像情報は記録紙Ｐの前半部に直接印字され、その後に、画像メモリ６２に記憶された原稿Ｍの画像情報を記録紙Ｐの後半部に印字する。
【０３４１】
これにより、両面印字において、原稿載置枚数に関係なく原稿枚数を４で割ったときの余りが３のときに２枚目の記録紙Ｐの裏面に適切にブック綴じコピーが実現可能となる。
【０３４２】
また、本実施の形態では、白ページの画像情報と読み取られた原稿Ｍの画像情報とを記録紙Ｐに印字するに際して、印字される手順に応じてアドレスを変更できるものとなっている。
【０３４３】
これにより、白ページの画像情報に続いて画像メモリ６２に記憶された原稿の画像情報と、画像メモリ６２に記憶された原稿の画像情報に続いて白ページの画像情報を印字する場合に、記録紙Ｐの前半部又は後半部によってアドレスを切り替える必要がなくなる。
【０３４４】
また、本実施の形態のディジタル複写機では、原稿Ｍを読み取るための原稿給紙部１における最上位原稿ピックアップローラ３及び最下位原稿ピックアップローラ４の回転動作は、原稿給紙トレイ２に載置される原稿Ｍの枚数に基づいて設定される。
【０３４５】
これにより、ブック綴じコピーを行ったときに、原稿Ｍの枚数によって中心がずれることなく、ユーザにとって不必要な白ページを製本の後半部に集めるという処理を自動原稿搬送装置１０を用いて行うことが可能となる。
【０３４６】
また、本実施の形態では、原稿Ｍを読み取るための原稿給紙部１における最上位原稿ピックアップローラ３及び最下位原稿ピックアップローラ４の回転動作を設定する原稿枚数は両面印字を行うときは４の整数倍によって決定される一方、原稿枚数を４で割ったときの余りが０枚、１枚、２枚、３枚によって最上位原稿ピックアップローラ３及び最下位原稿ピックアップローラ４の回転動作が異なる。
【０３４７】
これにより、両面印字のブック綴じコピーを行ったときに、原稿枚数によって中心がずれることなく、ユーザにとって不必要な白ページを製本の後半部に集めるという処理を自動原稿搬送装置１０を用いて行うことが可能となる。
【０３４８】
また、本実施の形態では、原稿Ｍを読み取るための原稿給紙部１における最上位原稿ピックアップローラ３及び最下位原稿ピックアップローラ４の回転動作を設定する原稿枚数は、片面印字を行うときは２の整数倍によって決定され、原稿枚数を２で割ったときの余りが０枚、１枚によって最上位原稿ピックアップローラ３及び最下位原稿ピックアップローラ４の回転動作が異なる。
【０３４９】
これにより、片面印字のブック綴じコピーを行ったときに、原稿枚数によって中心がずれることなく、ユーザにとって不必要な白ページを製本の後半部に集めるという処理を自動原稿搬送装置１０を用いて行うことが可能となる。
【０３５０】
また、本実施の形態では、原稿Ｍを読み取るための原稿給紙部１における最上位原稿ピックアップローラ３及び最下位原稿ピックアップローラ４の回転動作を設定する原稿枚数は両面印字を行うときは４の整数倍によって決定される一方、原稿枚数を４で割ったときの余りが０枚のときであって、かつ原稿Ｍの載置状況が原稿面が下向きのときには、最下位原稿ピックアップローラ４によって最下位の原稿Ｍを搬送し、次に、最上位原稿ピックアップローラ３によって最上位の原稿を搬送する。
【０３５１】
これにより、原稿枚数を４で割ったときの余りが０枚のときに、両面印字のブック綴じコピーにおける記録紙Ｐへの表面印字を自動原稿搬送装置１０を用いて適切に行うことができる。
【０３５２】
また、本実施の形態では、上記の場合において、読み取られた原稿Ｍの画像情報を記録紙Ｐの表面に印字した後、その記録紙Ｐの裏面に次の画像情報を印字するときには、最上位原稿ピックアップローラ３を用いて最上位の次の原稿Ｍを搬送し、次に、最下位原稿ピックアップローラ４を用いて最下位の次の原稿Ｍを搬送する。
【０３５３】
これにより、原稿枚数を４で割ったときの余りが０枚のときに、両面印字のブック綴じコピーにおける記録紙Ｐへの裏面印字を自動原稿搬送装置１０を用いて適切に行うことができる。
【０３５４】
また、本実施の形態では、原稿Ｍを読み取るための原稿給紙部１における最上位原稿ピックアップローラ３及び最下位原稿ピックアップローラ４の回転動作を設定する原稿枚数は両面印字を行うときは４の整数倍によって決定される一方、原稿枚数を４で割ったときの余りが１枚のときであって、かつ原稿Ｍの載置状況が原稿面が下向きのときには、最初の原稿Ｍとして最下位原稿ピックアップローラ４によって最下位の原稿Ｍを搬送し、次に、その原稿Ｍと画像メモリ６２に別途格納された白ページの画像情報とを記録紙Ｐに印字する。
【０３５５】
これにより、原稿枚数を４で割ったときの余りが１枚のときに、両面印字のブック綴じコピーにおける最初の記録紙Ｐへの表面印字を、原稿枚数によって中心がずれることなく、ユーザにとって不必要な白ページを製本の末尾に集めるという処理を自動原稿搬送装置１０を用いて適切に行うことができる。
【０３５６】
また、本実施の形態では、上記の場合において、読み取られた原稿Ｍの画像情報を記録紙Ｐの表面に印字した後、その記録紙Ｐの裏面に次の画像情報を印字するときには、最上位原稿ピックアップローラ３を用いて最上位の次の原稿Ｍを搬送し、次に、最下位原稿ピックアップローラ４を用いて最下位の次の原稿Ｍを搬送して、並べて印字する。
【０３５７】
これにより、原稿枚数を４で割ったときの余りが１枚のときに、両面印字のブック綴じコピーにおける最初の記録紙Ｐへの裏面印字を自動原稿搬送装置１０を用いて適切に行うことができる。
【０３５８】
また、本実施の形態では、原稿Ｍを読み取るための原稿給紙部１における最上位原稿ピックアップローラ３及び最下位原稿ピックアップローラ４の回転動作を設定する原稿枚数は両面印字を行うときは４の整数倍によって決定される一方、原稿枚数を４で割ったときの余りが２枚のときであって、かつ原稿Ｍの載置状況が原稿面が下向きのときには、最初の原稿Ｍとして最下位原稿ピックアップローラ４によって最下位の原稿Ｍを搬送し、次に、その原稿Ｍと画像メモリ６２に別途格納された白ページの画像情報とを記録紙Ｐに印字する。
【０３５９】
これにより、原稿枚数を４で割ったときの余りが２枚のときに、両面印字のブック綴じコピーにおける最初の記録紙Ｐへの表面印字を、原稿枚数によって中心がずれることなく、ユーザにとって不必要な白ページを製本の末尾に集めるという処理を自動原稿搬送装置１０を用いて適切に行うことができる。
【０３６０】
また、本実施の形態では、上記の場合において、読み取られた原稿Ｍの画像情報を記録紙Ｐの表面に印字した後、その記録紙Ｐの裏面に次の画像情報を印字するときには、最下位原稿ピックアップローラ４を用いて最下位の次の原稿Ｍを搬送し、次に、その原稿Ｍと画像メモリ６２に別途格納された白ページの画像情報とを記録紙Ｐに印字する。
【０３６１】
これにより、原稿枚数を４で割ったときの余りが２枚のときに、両面印字のブック綴じコピーにおける最初の記録紙Ｐへの裏面印字を自動原稿搬送装置１０を用いて適切に行うことができる。
【０３６２】
また、本実施の形態では、原稿Ｍを読み取るための原稿給紙部１における最上位原稿ピックアップローラ３及び最下位原稿ピックアップローラ４の回転動作を設定する原稿枚数は両面印字を行うときは４の整数倍によって決定される一方、原稿枚数を４で割ったときの余りが３枚のときであって、かつ原稿Ｍの載置状況が原稿面が下向きのときには、最初の原稿Ｍとして最下位原稿ピックアップローラ４によって最下位の原稿Ｍを搬送し、次に、その原稿Ｍと画像メモリ６２に別途格納された白ページの画像情報とを記録紙Ｐに印字する。
【０３６３】
これにより、原稿枚数を４で割ったときの余りが３枚のときに、両面印字のブック綴じコピーにおける最初の記録紙Ｐへの表面印字を、原稿枚数によって中心がずれることなく、ユーザにとって不必要な白ページを製本の末尾に集めるという処理を自動原稿搬送装置１０を用いて適切に行うことができる。
【０３６４】
また、本実施の形態では、上記の場合において、読み取られた原稿Ｍの画像情報を記録紙Ｐの表面に印字した後、その記録紙Ｐの裏面に次の画像情報を印字するときには、最下位原稿ピックアップローラ４を用いて最下位の次の原稿Ｍを搬送し、次に、その原稿Ｍと画像メモリ６２に別途格納された白ページの画像情報とを記録紙Ｐに印字する。
【０３６５】
これにより、原稿枚数を４で割ったときの余りが３枚のときに、両面印字のブック綴じコピーにおける最初の記録紙Ｐへの裏面印字を自動原稿搬送装置１０を用いて適切に行うことができる。
【０３６６】
また、本実施の形態では、上記の場合において、読み取られた原稿Ｍの画像情報を最初の記録紙Ｐの裏面に印字した後、２枚目の記録紙Ｐの表面に次の画像情報を印字するときには、最下位原稿ピックアップローラ４を用いて最下位の次の原稿Ｍを搬送し、次に、その原稿Ｍと画像メモリ６２に別途格納された白ページの画像情報とを２枚目の記録紙Ｐに印字する。
【０３６７】
これにより、原稿枚数を４で割ったときの余りが３枚のときに、両面印字のブック綴じコピーにおける２枚目の記録紙Ｐへの表面印字を、原稿枚数によって中心がずれることなく、ユーザにとって不必要な白ページを製本の末尾に集めるという処理を自動原稿搬送装置１０を用いて適切に行うことができる。
【０３６８】
また、本実施の形態では、上記の場合において、読み取られた原稿Ｍの画像情報を２枚目の記録紙Ｐの表面に印字した後、２枚目の記録紙Ｐの裏面に次の画像情報を印字するときには、最上位原稿ピックアップローラ３を用いて最上位の次の原稿Ｍを搬送し、次に、最下位原稿ピックアップローラ４を用いて最下位の次の原稿Ｍを搬送して、並べて印字する。
【０３６９】
これにより、原稿枚数を４で割ったときの余りが３枚のときに、両面印字のブック綴じコピーにおける２枚目の記録紙Ｐへの裏面印字を自動原稿搬送装置１０を用いて適切に行うことができる。
【０３７０】
また、本実施の形態では、原稿Ｍを読み取るための原稿給紙部１における最上位原稿ピックアップローラ３及び最下位原稿ピックアップローラ４の回転動作を設定する原稿枚数は両面印字を行うときは４の整数倍によって決定される一方、原稿枚数を４で割ったときの余りが０枚、１枚、２枚、３枚によって最上位原稿ピックアップローラ３及び最下位原稿ピックアップローラ４の回転動作を異ならせて、各白ページの画像情報の処理をした後は、原稿枚数を４で割ったときの余りが０枚の処理を行う。
【０３７１】
これにより、両面印字のブック綴じコピーのときに、各白ページの画像情報の挿入処理をした後は、残った原稿Ｍを配置するという処理を自動原稿搬送装置１０を用いて適切に行うことができる。
【０３７２】
また、本実施の形態では、原稿Ｍを読み取るための原稿給紙部１における最上位原稿ピックアップローラ３及び最下位原稿ピックアップローラ４の回転動作を設定する原稿枚数は、片面印字を行うときは２の整数倍によって決定され、原稿枚数を２で割ったときの余りが０枚、１枚によって最上位原稿ピックアップローラ３及び最下位原稿ピックアップローラ４の回転動作が異ならせて、白ページの画像情報の処理をした後は、原稿枚数を２で割ったときの余りが０枚の処理を行う。
【０３７３】
これにより、片面印字のブック綴じコピーのときに、白ページの画像情報の挿入処理をした後は、残った原稿Ｍを配置するという処理を自動原稿搬送装置１０を用いて適切に行うことができる。
【０３７４】
また、本実施の形態のディジタル複写機では、読み取られた原稿Ｍを原稿主搬送路１４を用いて排出する原稿排紙トレイは、上下２段に設けられている。
【０３７５】
このため、原稿主搬送路１４に送られてくる原稿Ｍを任意に分別して、別々の上原稿排紙トレイ１３ａ又は下原稿排紙トレイ１３ｂに排紙することができる。
【０３７６】
また、本実施の形態では、上原稿排紙トレイ１３ａには、原稿給紙部１における原稿給紙トレイ２に下向きにして載置された原稿Ｍを最上位原稿ピックアップローラ３によって搬送された原稿Ｍを排出している。
【０３７７】
このため、最上位原稿ピックアップローラ３又は最下位原稿ピックアップローラ４によって、交互に搬送されてくる原稿Ｍの中から、最上位原稿ピックアップローラ３によって給紙された原稿Ｍを選択し、上原稿排紙トレイ１３ａに排紙することができる。
【０３７８】
これにより、最上位原稿ピックアップローラ３によって給紙された原稿Ｍが、原稿面を上にして、正順に排紙されるため、複写後の原稿束の中から、最上位原稿ピックアップローラ３によって給紙された原稿Ｍを選び出し、原稿Ｍの並びを補正する手間を省くことができる。
【０３７９】
また、本実施の形態では、下原稿排紙トレイ１３ｂには、原稿給紙部１における原稿給紙トレイ２に下向きにして載置された原稿Ｍを最下位原稿ピックアップローラ４によって搬送された原稿Ｍを排出している。
【０３８０】
このため、最上位原稿ピックアップローラ３又は最下位原稿ピックアップローラ４によって、交互に搬送されてくる原稿Ｍの中から、最下位原稿ピックアップローラ４によって給紙された原稿Ｍを選択し、下原稿排紙トレイ１３ｂに排紙することができる。
【０３８１】
これにより、最下位原稿ピックアップローラ４によって給紙された原稿Ｍが、原稿面を上にして、逆順に排紙されるため、複写後の原稿束の中から、最下位原稿ピックアップローラ４によって給紙された原稿Ｍを選び出し、原稿Ｍの並びを補正する手間を省くことができる。
【０３８２】
また、本実施の形態では、読取りが終了した原稿Ｍをスイッチバックするためのピックアップローラである原稿排紙半月ローラ２１及びスイッチバック用搬送路１６を備えている。
【０３８３】
このため、一度、下原稿排紙トレイ１３ｂに排紙された原稿Ｍを、原稿排紙半月ローラ２１を用いて、再度、原稿主搬送路１４及びスイッチバック用搬送路１６内に送ることができる。
【０３８４】
これにより、一度排紙された原稿Ｍを、スイッチバックするために、原稿主搬送路１４及びスイッチバック用搬送路１６に搬送することができる。
【０３８５】
また、本実施の形態では、読み取りが完了し、上下段に分割して排出された原稿Ｍは、ピックアップローラである原稿排紙半月ローラ２１、原稿主搬送路１４、スイッチバック用搬送路１６並びに搬送路中の分離爪である第１搬送路選択爪１７ａ及び第２搬送路選択爪１７ｂによって、給紙時に最下位原稿ピックアップローラ４にて搬送された原稿Ｍを順次、最上位原稿ピックアップローラ３にて搬送及び排出された原稿Ｍの上に載置することができるものとなっている。
【０３８６】
このため、上下段に分割して排出された原稿Ｍのうち、最下位原稿ピックアップローラ４にて給紙された原稿Ｍは、原稿面を上にして逆順に排紙されているので、上側から１枚ずつ、原稿排紙半月ローラ２１にてスイッチバック用搬送路１６に送られる。そして、最上位原稿ピックアップローラ３にて給紙された原稿Ｍが排紙された上原稿排紙トレイ１３ａに排紙することができる。
【０３８７】
これにより、全原稿を、原稿面を上にして正順の並びで、一つの上原稿排紙トレイ１３ａに排紙することができる。
【０３８８】
また、本実施の形態では、排紙搬送路中に配置される原稿搬送ローラである上排紙ローラ１９ａ・１９ａ、下排紙ローラ１９ｂ・１９ｂ及びスイッチバック用搬送ローラ１８・１８は可逆回転可能となっている。
【０３８９】
これにより、スイッチバック機構は、搬送路に搬送された原稿を、逆方向に搬送することができる。
【０３９０】
また、本実施の形態では、搬送路中に配置された分離爪である第１搬送路選択爪１７ａ及び第２搬送路選択爪１７ｂは、ソレノイド又はスプリングによって原稿Ｍを導く搬送路を選択し得るとともに、原稿Ｍの排出及び原稿Ｍのスイッチバックを可能とするようになっている。
【０３９１】
このため、原稿Ｍの搬送経路を任意に選択することができる。これにより、搬送路が複数の搬送路に分岐している場合、原稿Ｍを任意の搬送路へ導くことができる。
【０３９２】
また、本実施の形態のディジタル複写機では、読み取った原稿Ｍの画像情報を一旦画像メモリ６２に蓄積し、印字が必要な時にその原稿Ｍの画像情報を画像メモリ６２から呼び出し、画像処理を行った後に印字するメモリ印字手段と、読み取った原稿Ｍの画像情報を画像処理後に印字するダイレクト印字手段とを備えている。
【０３９３】
これにより、原稿Ｍをピックアップする順序にしたがって、メモリ印字とダイレクト印字とを併用することにより、一回のプロセスで所望するページ印字を行うことができる。
【０３９４】
また、本実施の形態では、ページ印字は、原稿給紙トレイ２に載置される原稿束の最上位の原稿Ｍと、最下位の原稿Ｍとを順次読み取り、画像形成部４０にて、画像メモリ６２を用いた印字が記録紙Ｐの搬送方向の前半部と後半部とにページ印字される。
【０３９５】
これにより、原稿をピックアップする順序にしたがって、メモリ印字とダイレクト印字とを併用することにより、一回のプロセスで所望するページ印字を行うことができる。
【０３９６】
また、本実施の形態では、載置される原稿束の最上位の原稿Ｍは、原稿束の最上位の原稿Ｍをピックアップするための最上位原稿ピックアップローラ３、上さばき板５及び下さばき板６を備えた上取り搬送機構によって給紙、搬送、読み取りが行われる。
【０３９７】
これにより、原稿をピックアップする順序にしたがって、メモリ印字とダイレクト印字とを併用することにより、一回のプロセスで所望するページ印字を行うことができる。
【０３９８】
また、本実施の形態では、載置される原稿束の最下位の原稿Ｍは、原稿束の最上位の原稿Ｍをピックアップするための最下位原稿ピックアップローラ４、上さばき板５及び下さばき板６を備えた下取り搬送機構によって給紙、搬送、読み取りが行われる。
【０３９９】
これにより、原稿をピックアップする順序にしたがって、メモリ印字とダイレクト印字とを併用することにより、一回のプロセスで所望するページ印字を行うことができる。
【０４００】
また、本実施の形態では、２段の排紙トレイのうちの一方の上原稿排紙トレイ１３ａには、排出される原稿Ｍの最終頁から順次載置される。
【０４０１】
これにより、原稿Ｍのピックアップする順序が上取り及び下取りにて入り乱れても、上取り原稿と下取り原稿とを別々の排紙トレイに排出し、上原稿排紙トレイ１３ａに排出される原稿Ｍの最終頁から順次載置することにより、原稿Ｍの順序を一定にすることができる。
【０４０２】
また、本実施の形態では、２段の排紙トレイのうち他方の下原稿排紙トレイ１３ｂには、排出される原稿Ｍの最初の頁から順次載置し、原稿が全て読み取られて排出された後に、最終に読み取られた原稿Ｍから順次スイッチバック手段にて、最終頁から載置される上原稿排紙トレイ１３ａに原稿Ｍを移動し、頁揃えを行う。
【０４０３】
これにより、原稿Ｍのピックアップする順序が上取り及び下取りにて入り乱れても、上取り原稿と下取り原稿とを別々の排紙トレイに排出できる。また、最初の頁から順次載置された下原稿排紙トレイ１３ｂの最上位原稿Ｍからピックアップし、上原稿排紙トレイ１３ａに順に載置していくことによって、原稿の順序を元に戻すことが可能となる。
【０４０４】
また、本実施の形態では、原稿枚数が奇数のときには、最初の搬送は原稿を搬送せずに、白ページの画像情報として画像形成部４０にて印字する。
【０４０５】
これにより、原稿枚数が奇数の場合のブック綴じコピーは、最終ページが白紙の状態でなければならないので、印字しない状況を強制的に作ることが可能となる。
【０４０６】
また、本実施の形態では、原稿枚数が偶数のときには、順次原稿Ｍを搬送し、画像形成部４０にて印字する。
【０４０７】
これにより、原稿枚数が偶数のときに、原稿をピックアップする順序にしたがって、メモリ印字とダイレクト印字とを併用することにより、一回のプロセスで所望するページ印字を行うことができる。
【０４０８】
また、本実施の形態のディジタル複写機では、メモリ印字又はダイレクト印字の選択は、１枚の記録紙Ｐにおいて搬送方向の前半部の印字はダイレクト印字にて行い、記録紙Ｐの搬送方向の後半部の印字はメモリ印字となっている。
【０４０９】
これにより、記録紙Ｐに印字される画像データのダウンロード順が画一化され、あらゆる原稿枚数の場合に対して印字のプロセス手順が画一化される。
【０４１０】
また、本実施の形態では、メモリ印字又はダイレクト印字の選択は、両面印字の際には、原稿枚数を４で除じた余りが０、１、２、３にて選択される一方、片面印字の際には、２で除じた余りが０、１にて選択される。
【０４１１】
これにより、原稿枚数に応じてダイレクト印字データ又はメモリ印字データのデータ選択方式が規定され、これにより排出原稿が常にページ順に並んだブック綴じコピー処理が可能となる。なお、上記のメモリ印字データのデータ選択においては、原稿データ出力と白データ出力との両方を含むものである。
【０４１２】
また、本実施の形態では、メモリ印字又はダイレクト印字の選択は、両面印字を行う際に原稿枚数を４で割った余りが０の場合又は片面印字を行う際に原稿枚数を２で割った余りが０の場合は、１枚目の記録紙Ｐの表面の搬送方向の前半部と後半部ともに画像データを出力する一方、さらに、両面印字の場合は１枚目の記録紙Ｐの裏面の搬送方向の前半部と後半部ともに画像データを出力する。
【０４１３】
これにより、両面印字の際は原稿枚数が４の倍数枚の場合、及び片面印字の場合は原稿枚数が偶数枚の場合は、原稿枚数にかかわらず感光体４１へのデータ出力シーケンスも含め、常に同一の印字プロセスによるブック綴じコピー処理が可能となる。
【０４１４】
また、本実施の形態では、上記において、両面印字を行う際に原稿枚数を４で割った余りが１の場合又は片面印字を行う際に原稿枚数を２で割った余りが１の場合は、１枚目の記録紙Ｐの表面における搬送方向の前半部は画像データを出力しかつ後半部分は白データの画像情報を出力し、さらに、両面印字の場合は１枚目の記録紙Ｐの裏面における搬送方向の前半部及び後半部ともに画像データを出力する。
【０４１５】
これにより、両面印字の際は原稿枚数が４の倍数−１枚の場合、及び片面印字の際は原稿枚数が奇数枚の場合は、原稿枚数にかかわらず、感光体４１へのデータ出力シーケンスも含め、常に同一の印字プロセスによるブック綴じコピー処理が可能となる。
【０４１６】
また、本実施の形態では、上記において、両面印字を行う際に原稿枚数を４で割った余りが２の場合は、１枚目の記録紙Ｐの表面における搬送方向の前半部は画像データを出力しかつ後半部は白データの画像情報を出力し、さらに、１枚目の記録紙Ｐの裏面における搬送方向の前半部は白データの画像情報を出力し、かつ後半部は画像データを出力する。
【０４１７】
これにより、両面印字の際、原稿枚数が４の倍数−２枚の場合は、原稿枚数にかかわらず、感光体４１へのデータ出力シーケンスも含め、常に同一の印字プロセスによるブック綴じコピー処理が可能となる。
【０４１８】
また、本実施の形態では、上記において、両面印字を行う際に原稿枚数を４で割った余りが３の場合は、１枚目の記録紙Ｐの表面における搬送方向の前半部は画像データを出力しかつ後半部は白データの画像情報を出力し、さらに、１枚目の記録紙Ｐの裏面における搬送方向の前半部は白データの画像情報を出力し、かつ後半部は画像データを出力し、さらに、２枚目の記録紙Ｐの表面における搬送方向の前半部は画像データを出力しかつ後半部は白データの画像情報を出力し、さらに、２枚目の記録紙Ｐの裏面における搬送方向の前半部及び後半部とも画像データを出力する。
【０４１９】
これにより、両面印字の際、原稿枚数が４の倍数−３枚の場合は、原稿枚数にかかわらず、感光体４１へのデータ出力シーケンスも含め、常に同一の印字プロセスによるブック綴じコピー処理が可能となる。
【０４２０】
また、本実施の形態では、上記において、原稿枚数を４で割ったときの余りが０、１、２の場合は１枚目の記録紙Ｐの排出後、原稿枚数を４で割ったときの余りが３の場合は２枚目の記録紙Ｐの排出後に、さらに、ブック綴じコピーを行う原稿Ｍが残っている場合は、両面印字を行う際に原稿枚数を４で割った余りが０の場合の処理を行う。
【０４２１】
これにより、ブック綴じコピーにおいて両面印字を行なう場合に、３枚目以降の記録紙Ｐに対しては、感光体４１へのデータ出力シーケンスも含め、常に同一の印字プロセスによるブック綴じコピー処理が可能となる。
【０４２２】
また、本実施の形態では、印字手段である画像形成部４０、副搬送路５９ｂ、反転退避路５９ａ、及び記録紙排出手段である排紙ローラ５６・５６を用いることによってブック綴じ印字された記録紙Ｐは、ページ順序が揃った状態にて排出される。
【０４２３】
これにより、ユーザは常にページ順に配列された排出記録紙Ｐを受取ることが可能であり、排出記録紙Ｐを中央部分から折り曲げるという単純作業による製本作業が可能となる。
【０４２４】
なお、本発明は、上記の実施の形態に限定されるものではなく、本発明の範囲内で種々の変更が可能である。例えば、上記実施の形態では、図１に示すように、画像メモリ６２への記憶は、ＣＣＤ３５にて読み込んだ画像情報をそのまま記憶するものとなっている。したがって、画像メモリ６２の記憶容量をさらに小さくするために、例えば、画像メモリ６２への記憶に際して画像情報を圧縮することも可能である。
【０４２５】
この場合、図４１に示すように、画像メモリ６２の前段部分に、圧縮手段としてのデータ圧縮部７６を設け、ＣＣＤ３５により読み込まれたデータを圧縮し、画像メモリ６２に格納する。また、画像メモリ６２の後段には、データ伸長部７７を設け、画像メモリ６２から読み出されるデータを伸長しながらＬＳＵ７４に転送する。
【０４２６】
このように、本実施の形態のディジタル複写機では、読み取られた一枚の原稿Ｍの画像情報を画像メモリ６２に記憶する前に圧縮するデータ圧縮部７６を設けることが可能である。
【０４２７】
このため、画像メモリ６２には、１枚の原稿Ｍの画像情報を圧縮して記憶することができるので、さらに記憶容量を削減することができる。
【０４２８】
この結果、ブック綴じコピーを行うに際して、搭載している画像メモリ６２の容量によって原稿枚数が制限されるのをさらに回避し得るディジタル複写機を提供することができる。
【０４２９】
また、本実施の形態では、原稿サイズ長さＡと印字用紙長さＢとの関係が、２×Ａ＝Ｂ（例：Ａ４サイズの原稿ＭとＡ３サイズの記録紙Ｐとの組み合わせ）のときは等倍で印字し、左記式が成立しないときは、原稿読み取り時又は印字処理時に自動変倍する。
【０４３０】
これにより、原稿をピックアップする順序にしたがって、メモリ印字とダイレクト印字とを併用することにより、一回のプロセスで所望するページ印字を行うことができる。
【０４３１】
また、自動変倍との組み合わせによって、原稿サイズと記録紙サイズとが異なったページ印字にも対応可能となる。
【０４３２】
また、本実施の形態では、読み取られた画像情報の先端と、前記ページ印字を行うときの各頁の先端を合わせるために、必要に応じて画像回転を行うことが可能である。
【０４３３】
これにより、自動変倍及び画像回転との組み合わせによって、原稿サイズと記録紙サイズとの異なったページ印字にも対応可能となる。
【０４３４】
〔実施の形態２〕
本発明の他の実施の形態について図４２ないし図５１に基づいて説明すれば、以下の通りである。なお、説明の便宜上、前記の実施の形態１の図面に示した部材と同一の機能を有する部材については、同一の符号を付し、その説明を省略する。また、前記実施の形態１の各種の特徴点については、本実施の形態についても組み合わせて適用し得るものとする。
【０４３５】
本実施の形態のディジタル複写機の自動原稿搬送装置１０は、前記図２に示すように、原稿束の最上位又は最下位の原稿Ｍを給紙機構の上部又は下部の半月状ローラによって給紙し、ベルト８によって送られて規定位置で停止した原稿Ｍに光を照射させることができるようになっている。
【０４３６】
具体的には、自動原稿搬送装置１０には、図４に示すように、原稿給紙トレイ２に載置された原稿束の最上位原稿を取り出す最上位原稿ピックアップローラ３及び原稿束の最下位原稿を取り出す最下位原稿ピックアップローラ４と、各上下位の原稿Ｍを取り出すときに、原稿束の原稿Ｍが複数枚重なって取り出されないようにする上さばき板５及び下さばき板６とによって構成される上下原稿選択搬送手段としての原稿給紙部１が設けられている。
【０４３７】
ここで、本実施の形態の原稿給紙部１は、積載される原稿束における最上位の原稿又は最下位の原稿を選択して、最上位の原稿及び最下位の原稿の両方、又は最上位の原稿又は最下位の原稿のいずれか一方を順次原稿台３１へ搬送するようになっている。
【０４３８】
すなわち、本実施の形態では、自動原稿搬送装置１０における原稿給紙部１は、同時に２枚の原稿Ｍを原稿台８に搬送して載置できるようになっている。
【０４３９】
このような同時に２枚の原稿Ｍを原稿台８に送ることができる構成は、例えば特開平５−６０５２号公報等において公知であり、例えば、一枚目の原稿Ｍを原稿台３１の規定位置に搬送し、続いて、二枚目の原稿Ｍを取り出して一枚目の原稿Ｍの後端に位置するように、例えば、電磁プランジャにて駆動されるストッパ等にて規制することにより、一枚目の原稿Ｍと二枚目の原稿Ｍとを重ならないように並置して読み取ることが可能となっている。
【０４４０】
一方、制御部６０は、前記図３に示すように、ＣＰＵ（Central Processing Unit)６１及び記憶手段としての画像メモリ６２等によって構成されており、ＣＰＵ６１は、自動原稿搬送装置制御６３、スキャナ光学系制御６４、印字プロセス制御６５、記録紙搬送制御６６、画像メモリ制御６７及び画像データ切り替え制御６８等の各制御を行っている。
【０４４１】
上記の画像メモリ６２は、本実施の形態では、原稿Ｍにおける２枚分の画像情報を記憶できるようになっている。
【０４４２】
一方、前述したように、図２に示す画像形成部４０には、用紙搬送路５９として、感光体４１上のトナー像を記録紙Ｐに転写するための用紙主搬送路５９ｃと、両面印字の際に記録紙Ｐを反転させる反転路としての反転退避路５９ａと、この反転退避路５９ａに退避された記録紙Ｐを再度用紙主搬送路５９ｃに搬送するまでの途中経路である副搬送路５９ｂとが設けられている。
【０４４３】
ここで、片面が印字された記録紙Ｐは、両面印字するために、一旦反転退避路５９ａにて退避されるが、本実施の形態では、片面印字が終了した後の記録紙Ｐを一旦反転退避路５９ａに退避させた後、次の記録紙Ｐを印字する間に、上記片面印字が終了した後の記録紙Ｐを反転退避路５９ａから取り出して副搬送路５９ｂに搬送させかつこの副搬送路５９ｂにて待機させるようになっている。
【０４４４】
上記副搬送路５９ｂにおいて、記録紙Ｐを待機させるのは、前記図３に示すＣＰＵ６１における待機手段としての記録紙搬送制御６６が行うものとなっている。
【０４４５】
また、本実施の形態においても、上記画像メモリ６２に記憶した画像情報を印字するか、又は自動原稿搬送装置１０にて読み込んだ原稿Ｍを直接印字するかの選択は、図４１に示すように、選択手段としてのデータバス切替部７３が行うものとなっている。
【０４４６】
なお、図４１においては、データ圧縮部７６及びデータ伸長部７７が設けられているが、本実施の形態においては、必ずしも必要ではない。
【０４４７】
上記構成のディジタル複写機において、中綴じかつ左綴じのブック綴じコピーにおける自動原稿搬送装置１０の４パターンの具体的な制御動作を、全体を通して説明する。
【０４４８】
ここでも、ｎ＝３として、４ｎ処理では原稿Ｍが１２枚、４ｎ−１処理では原稿Ｍが１１枚、４ｎ−２処理では原稿Ｍが１０枚、４ｎ−３処理では原稿Ｍが９枚であるとして説明する。
【０４４９】
これらの場合、記録紙Ｐの枚数はいずれも３枚となるが、４ｎ処理である原稿Ｍが１２枚の場合、前記図３０に示すように、記録紙Ｐには４枚の原稿Ｍの像が片面に２像ずつ計４面にわたって複写される。
【０４５０】
ここで、同図における黒三角矢印は記録紙Ｐの先頭方向を示している。つまり、同図の記録紙Ｐ１表面及び記録紙Ｐ１裏面を例にとって説明すると、用紙カセット５１から給紙された記録紙Ｐ１は用紙主搬送路５９ｃを通って、感光体４１により先ず片面に１ページ目と１２ページ目とが印字される。その後、記録紙Ｐ１は反転退避路５９ａに一旦退避される。
【０４５１】
次いで、記録紙Ｐ１の裏面に印字するときには、記録紙Ｐ１は副搬送路５９ｂを搬送されて、今度は最初の印字面の裏面に２ページ目と１１ページ目とが印字される。その後、反転退避路５９ａを通って排紙トレイに記録紙Ｐ１が排出される構成となる。
【０４５２】
ここで、本実施の形態では、反転退避路５９ａに一旦退避された記録紙Ｐ１は、副搬送路５９ｂに搬送されるが、このときには、用紙主搬送路５９ｃでは、記録紙Ｐ２の表面の印字を行っている。したがって、この記録紙Ｐ２の表面の印字が終了するまでは、上記記録紙Ｐ１は、副搬送路５９ｂにて待機している状態となっている。
【０４５３】
以下、記録紙Ｐ２表面及び記録紙Ｐ２裏面、記録紙Ｐ３表面及び記録紙Ｐ３裏面も同様に印字され、一連の複写プロセスが完了する。
【０４５４】
他の複写パターンについても略同様の複写プロセスが実行される。
【０４５５】
すなわち、４ｎ−１処理である原稿Ｍが１１枚の場合、前記図３１に示すように、原稿Ｍの１２ページ目が白紙状態となる。また、４ｎ−２処理である原稿Ｍが１０枚の場合、前記図３２に示すように、原稿Ｍの１２ページ目及び１１ページ目が白紙状態となる。さらに、また、４ｎ−３処理である原稿Ｍが９枚の場合、前記図３３に示すように、原稿Ｍの１２ページ目、１１ページ目及び１０ページ目が白紙状態となる。
【０４５６】
以下、これらの複写パターンを実現するためのプロセスを詳細に説明する。なお、本実施の形態におけるディジタル複写機には、原稿Ｍの枚数をカウントする何らかの手段を備えているものとする。この原稿カウント手段については自動原稿搬送装置１０の原稿台３１に原稿カウント機構を備えても良いし、又はユーザが原稿枚数を入力する入力装置を設けても良い。
【０４５７】
原稿枚数が決定してからのプロセスフローチャートは、前記図２４のフローチャートに示すように、原稿枚数を４で割ってその余りによって余りが０のときは４ｎ処理、余りが１のときは４ｎ−１処理、余りが２のときは４ｎ−２処理、余りが３のときは４ｎ−３処理が実行される。以下、これらの複写プロセスについて、Ａ４サイズ原稿ＭからＡ３サイズ記録紙Ｐへの中綴じかつ左綴じのブック綴じコピーの各複写プロセスを実現する手順について詳細な説明を行う。
【０４５８】
最初に、４ｎ枚原稿処理モードルーチンについて、図４２及び図４３のフローチャートに基づいて説明する。
【０４５９】
先ず、図４２に示すように、自動原稿搬送装置１０上の最上位原稿及び最下位原稿が原稿台３１に送られ、スキャナ光学系３０により原稿Ｍの画像情報が読込まれる（Ｓ７０１〜Ｓ７０４）。なお、正確には、先ず最下位原稿の１ページ目の原稿Ｍが原稿台３１に送られ、次いで最上位原稿の１２ページ目の原稿Ｍが送られる。いずれを優先するかは前記実施の形態１にて示しているので、本実施の形態では、この表現にて説明を行う。
【０４６０】
この画像情報は、ダイレクト転送経路を通じて記録紙Ｐへの印字位置が最適になるタイミング、すなわち原稿データの先頭位置と記録紙Ｐの先頭位置が一致するタイミングでＬＳＵ７４により感光体４１に書込みが実行される（Ｓ７０６）。そして、この原稿Ｍの像が１枚目の記録紙Ｐの先端位置から転写される。これによって、１枚目のＡ３記録用紙の片面（以下、「表面」と称する）の複写工程が完了する。
【０４６１】
表面に印字された１枚目の記録紙Ｐは反転退避路５９ａに退避される（Ｓ７０７）。その間に、自動原稿搬送装置１０に上に残っている最上位原稿及び最下位原稿が原稿台３１に送られ（Ｓ７０８、Ｓ７０９）、その読取データが画像メモリ６２にＡ３サイズのメモリとして記憶される（Ｓ７１０、Ｓ７１１）。
【０４６２】
この間に、反転退避路５９ａにある１枚目の記録紙Ｐが副搬送路５９ｂに搬送される（Ｓ７１２）。
【０４６３】
ここで、ｎがカウントダウンされ（Ｓ７１３）、ｎ＝０かどうかの判定が実施される（Ｓ７１４）。ここで、ｎ＝０であれば、副搬送路５９ｂ上の１枚目の記録紙Ｐが録用紙がレジストローラ５４・５４に搬送され（Ｓ７１５）、１枚目のＡ３サイズの記録紙Ｐのもう一方の面（以下、「裏面」と称する）が印字されて処理が終了する（Ｓ７１６、Ｓ７１７）。
【０４６４】
また、上記Ｓ７１４において、ｎ≠０ならば、図４３に示すように、自動原稿搬送装置１０に残っている最上位原稿及び最下位原稿が原稿台３１に送られ（Ｓ７１８、Ｓ７１９）、その読取データが２枚目の記録紙Ｐの表面に印字され、この記録紙Ｐは反転退避路５９ａに送られる（Ｓ７２０〜Ｓ７２４）。
【０４６５】
さらに、副搬送路５９ｂから１枚目の記録紙Ｐがレジストローラ５４・５４にて記録紙Ｐが感光体４１の転写位置へ搬送され（Ｓ７２５）、画像メモリ６２のＡ３サイズのメモリの記憶データが裏面に印字された後に（Ｓ７２６）、排紙トレイに排出される（Ｓ７２７）。
【０４６６】
続いて、自動原稿搬送装置１０に残っている最上位原稿及び最下位原稿が原稿台３１に送られ（Ｓ７２８、Ｓ７２９）、その読取データが画像メモリ６２に記憶される（Ｓ７３０、Ｓ７３１）。
【０４６７】
次いで、ｎがカウントダウンされ（Ｓ７３２）、再度、ｎ＝０か否かの判定が実施される（Ｓ７３３）。
【０４６８】
ここで、ｎ＝０ならば、前記図４２に示すＳ７１５に移行して、副搬送路５９ｂ上の２枚目の記録紙Ｐがレジストローラ５４・５４にて感光体４１による転写部分へ搬送され、画像メモリ６２の内容が裏面に印字されて一連のプロセスを終了する（Ｓ７１６、Ｓ７１７）。
【０４６９】
また、前記図４３に示すＳ７３３において、ｎ≠０であれば、上記プロセスにおける２枚目の記録紙Ｐへの印字プロセス開始点、つまりＳ７１８へ処理が戻り、以降のプロセスが繰り返し実行される。
【０４７０】
以上がダイレクト印字とメモリ印字による記録紙Ｐの片面への印字プロセスの一例である。
【０４７１】
上記のフローチャートにおいては、画像メモリ６２からのメモリ印字の開始手順をダイレクト印字の終了時刻と感光体４１の回転速度から算出する方式であるが、画像メモリ６２のメモリ印字の開始位置を、記録紙Ｐの先端がレジストローラ５４・５４に到達した時刻を起点として経過時間により算出する方法も可能である。
【０４７２】
上記の工程を、原稿１２枚の例で再度説明すると、まず１ページ目と１２ページ目の原稿データが原稿台３１へ搬送され、読取データがダイレクト転送経路を通じて１枚目の記録紙Ｐの表面に印字される。印字が終了した１枚目の記録紙Ｐは、反転退避路５９ａに退避され、その間に２ページ目と１１ページ目の原稿Ｍが原稿台３１に送られた後に読み取られ、画像メモリ６２に記憶される。
【０４７３】
ここで、予めカウントされた原稿枚数４ｎ−ａ（ｎ＝３、ａ：０）のｎがデクリメントされ、その後、ｎ＝０の判定が実行される。
【０４７４】
今のデクリメントされたｎの値は２となるため、プロセスはそのまま続行される。続いて、２枚目の記録紙Ｐがレジストローラ５４・５４によって感光体４１による印字部分へ搬送され、３ページ目と１０ページ目の原稿読取データが２枚目の記録紙Ｐの表面に印字される。
【０４７５】
印字が完了した２枚目の記録紙Ｐは反転退避路５９ａに退避され、副搬送路５９ｂにある１枚目の記録紙Ｐがレジストローラ５４・５４にて感光体４１による印字部分へ搬送される。そして、画像メモリ６２に記憶されていた２ページ目と１１ページ目の原稿データが、１枚目の記録紙Ｐの裏面に印字され、１枚目の記録紙Ｐは排紙トレイに排出される。
【０４７６】
続いて、４ページ目と９ページ目の原稿Ｍが原稿台３１にて読み取られた後、画像メモリ６２に記憶される。ここで、再度ｎの値がデクリメントされ、この後、２度目のｎ＝０の判定が実行される。ここでｎ＝１となるため、プロセスはさらに１ループ実行される。
【０４７７】
５ページ目と８ページ目の原稿Ｍが自動原稿搬送装置１０から原稿台３１へ搬送され、その読取データが３枚目の記録紙Ｐの表面に印字される。ここで、前項と同じく、３枚目の記録紙Ｐが反転退避路５９ａへ退避され、副搬送路５９ｂにある２枚目の記録紙Ｐの裏面に、画像メモリ６２に記憶されている４ページ目と９ページ目の原稿データが印字される。
【０４７８】
この後、２枚目の記録紙Ｐは排紙トレイに排出され、自動原稿搬送装置１０に残っている６ページ目と７ぺ一ジ目の原稿Ｍが原稿台３１に送られ、その読取データが画像メモリ６２にストアされる。ここで、ｎのデクリメントが実行され、次いでｎ＝０の判定が実行される。この時点で、ｎは０となっているため、新たな記録紙Ｐは給紙されず、副搬送路５９ｂの記録紙Ｐがレジストローラ５４・５４によって感光体４１による印字部分へ搬送され、裏面に画像メモリ６２内の６ページ目と７ぺ一ジ目の原稿データが印字された後に、排紙トレイに排出され、一連の複写プロセスが完了する。これにより、図３０に示すような記録紙Ｐのセットを形成できる。以上が、４ｎ処理の実施手順である。
【０４７９】
次に、４ｎ−１処理の場合のプロセスフローを、図４４及び図４５に示すフローチャートに基づいて説明する。
【０４８０】
４ｎ−１処理の場合は、図４３に示すように、４ｎ処理において、第１ループ（Ｓ８０２〜Ｓ８０５）で原稿台３１に搬送する原稿Ｍを制御することにより実現される。
【０４８１】
すなわち、最初に、第２ループ以降か否かを判定し（Ｓ８０１）、第１ループであれば、最初のループ工程として、最上位原稿のみを原稿台３１に搬送し（Ｓ８０２〜Ｓ８０５）、それ以降は、図４３及び図４４に示すように、４ｎ処理の場合と同様の処理を実行することにより、図３１に示すような記録紙Ｐのセットを形成できる。以上が４ｎ−１処理の実施手順である。
【０４８２】
次に、４ｎ−２処理の場合のプロセスフローを、図４６〜図４８に示すフローチャートに基づいて説明する。
【０４８３】
４ｎ−２処理の場合は、図４６に示すように、前記４ｎ−１処理に加え、１枚目の記録紙Ｐの裏面に印字するための原稿Ｍの搬送手順を制御することによって実現可能である（Ｓ８１１、Ｓ８１２）。
【０４８４】
すなわち、記録紙Ｐの１枚目の処理においては、記録紙Ｐの表面の処理を４ｎ−１処理と同様に実行した後（Ｓ８０１〜Ｓ８０５、Ｓ７０５〜Ｓ７０７）、裏面の処理において、第２ループ目以降か否かを判定した後（Ｓ８１０）、第１ループであれば、自動原稿搬送装置１０の最上位＋１枚目原稿データのみを原稿台３１に搬送し（Ｓ８１１、Ｓ８１２）、図４７に示すように、画像メモリ６２の前半部に当該原稿のデータを記憶し、後半部は０で記憶する（Ｓ７１０〜Ｓ７１１）。次いで、図４７及び図４８に示すように、この記憶データを１枚目の記録紙Ｐの裏面に印字することにより（Ｓ７１２〜Ｓ７１４、Ｓ７１８〜Ｓ７２７）、図３２に示すような記録紙Ｐのセットを形成できる。以上が４ｎ−２処理の実施手順である。
【０４８５】
最後に、４ｎ−３処理の場合のプロセスフローを、図４９〜図５１に示すフローチャートに基づいて説明する。
【０４８６】
４ｎ−３処理の場合は、図５１に示すように、４ｎ−２処理に加えて、２ループ目の記録紙Ｐ表面に印字される原稿Ｍの搬送制御により実現する（Ｓ８３１〜Ｓ８３４）。
【０４８７】
すなわち、図４９及び図５０に示すように、４ｎ−２処理の１ループ目完了後、図５１に示すように、第３ループ目以降か否かを判定した後（Ｓ８３０）、自動原稿搬送装置１０から３ページ目の原稿データのみを原稿台３１に搬送し（Ｓ８３１〜Ｓ８３４）、これを２枚目の記録紙Ｐの表面に印字する（Ｓ７２２、Ｓ７２３）。この後は、４ｎ処理と同様の処理を繰り返し実行していくことにより（Ｓ７２４〜Ｓ７３３、Ｓ７１８〜Ｓ７３３、Ｓ７１５〜Ｓ７１７）、図３３に示す記録紙Ｐのセットを形成できる。以上が４ｎ−３処理の実施手順である。
【０４８８】
以上に述べた通り、各複写プロセスは基本となる４ｎ処理の手順に判定条件を付加することにより実現可能となる。このようにして従来、原稿１枚分のメモリによって実行していた複写プロセスにおいて、メモリ容量を原稿２枚分に拡張することによってプロセス内に同時に２枚の記録紙Ｐを搬送させることが可能となり、その結果、ブック綴じコピー全体における複写プロセスの実行時間が短縮される。
【０４８９】
このように、本実施の形態のディジタル複写機では、自動原稿搬送装置１０を用いて原稿Ｍを供給し、その原稿Ｍの画像情報を読み取り、記録紙Ｐに片面印字又は両面印字することができる。
【０４９０】
また、このディジタル複写機では、両面印字に際しては、用紙搬送路５９における用紙主搬送路５９ｃにて記録紙Ｐの片面印字が終了した後、その記録紙Ｐが一旦用紙搬送路５９における反転退避路５９ａに退避され、その後、用紙搬送路５９における副搬送路５９ｂを経て用紙主搬送路５９ｃにて裏面印字される。
【０４９１】
ここで、本実施の形態のディジタル複写機には、記録紙Ｐの片面分の画像情報を記憶する画像メモリ６２が設けられ、かつこの画像メモリ６２は、読み取られる原稿Ｍに対して記録紙Ｐの片面分又は記録紙Ｐの片面分の半分の画像情報を記憶し得る一方、印字に際して、画像メモリ６２に記憶された画像情報と自動原稿搬送装置１０にて読み取った原稿Ｍの画像情報とのいずれを印字させるかの選択を行うデータバス切替部７３を備え、上記両面印字に際して、片面印字が終了した後の記録紙Ｐが一旦反転退避路５９ａに退避された後、次の記録紙Ｐを印字する間に上記反転退避路５９ａに退避された記録紙Ｐを取り出して副搬送路５９ｂに搬送させかつこの副搬送路５９ｂにて待機させる記録紙搬送制御６６が設けられている。
【０４９２】
すなわち、袋綴じや中綴じのブック綴じコピーにおいては、記録紙Ｐへのページ配置が重要となるため、読み込んだ原稿を直ぐに印字できない場合がある。
【０４９３】
このとき、本実施の形態では、記録紙Ｐの片面分の画像情報を記憶する画像メモリ６２が設けられ、かつこの画像メモリ６２は、読み取られる原稿Ｍに対して記録紙Ｐの片面分又は記録紙Ｐの片面分の半分の画像情報を記憶し得るので、一旦、その読み込んだ原稿Ｍを記憶しておくことができる。
【０４９４】
すなわち、画像メモリ６２は記録紙Ｐの片面分の画像情報を記憶することができるので、記録紙Ｐの片面分の半分を原稿２枚分を記憶することができる。また、この画像メモリ６２は読み取られる原稿Ｍに対して記録紙Ｐの片面分又は記録紙Ｐの片面分の半分の画像情報を記憶し得るので、記録紙Ｐの片面分の半分の原稿Ｍのみを記憶することも可能である。このことは、記録紙Ｐの片面分の半分の原稿Ｍの画像情報を記憶し、他の半分のデータを０としておき、原稿Ｍの画像情報と０データである白ページとを並べて印字できることを示すものである。
【０４９５】
また、このようにして読み取られる原稿Ｍに対して、印字に際しては、データバス切替部７３が、画像メモリ６２に記憶された画像情報と自動原稿搬送装置１０にて読み取った原稿Ｍの画像情報とのいずれを印字させるかの選択を行う。
【０４９６】
したがって、データバス切替部７３による選択動作により、記録紙Ｐの片面分の半分の原稿２枚の画像情報を先ず印字し、次に読み込んだ２枚の原稿Ｍを記憶することが可能である。したがって、後述する記録紙搬送制御６６の制御が可能となる。
【０４９７】
このように、この印字方法では、原稿Ｍの画像情報を記憶する画像メモリ６２の記憶容量としては、原稿２枚の画像情報を記憶できる容量があれば足りる。
【０４９８】
この結果、ブック綴じ印字を行うに際して、搭載しているメモリの容量によって原稿枚数が制限されるのを回避し得るディジタル複写機を提供することができる。
【０４９９】
また、本実施の形態では、両面印字に際して、片面印字が終了した後の記録紙Ｐが一旦反転退避路５９ａに退避された後、次の記録紙Ｐを印字する間に反転退避路５９ａに退避された記録紙Ｐを取り出して副搬送路５９ｂに搬送させかつこの副搬送路５９ｂにて待機させる記録紙搬送制御６６が設けられている。
【０５００】
すなわち、両面印字に際しては、１枚目記録紙Ｐの表面印字が終了した後反転退避路５９ａに退避させた後、次に、１枚目記録紙Ｐの裏面データを読み取って画像メモリ６２に記憶し、かつ２枚目記録紙Ｐの表面データを読み取っている間に、１枚目記録紙Ｐの表面を副搬送路５９ｂに搬送させかつこの副搬送路５９ｂにて待機させる。そして、次に、上記２枚目記録紙Ｐの表面印字を先に行ってから反転退避路５９ａに退避させた後に、副搬送路５９ｂに待機された１枚目記録紙Ｐの裏面印字を行う。
【０５０１】
したがって、本実施の形態では、用紙搬送路５９に同時に２枚の記録紙Ｐを搬送させることができる。
【０５０２】
この結果、全ての記録紙Ｐを印字するときの印字処理速度を向上させることができる。
【０５０３】
また、本実施の形態のディジタル複写機では、自動原稿搬送装置１０には、積載される原稿束における最上位の原稿又は最下位の原稿を選択して、最上位の原稿及び最下位の原稿の両方、又は最上位の原稿又は最下位の原稿のいずれか一方を順次原稿台３１へ搬送する原稿給紙部１が設けられている。
【０５０４】
また、原稿給紙部１は、原稿枚数に基づいて、最上位の原稿及び最下位の原稿のうちいずれかを先にして両方共、又は最上位の原稿若しくは最下位の原稿のいずれか一方を選択する。
【０５０５】
このため、原稿給紙部１によって、原稿枚数がいかなる場合においても、画像メモリ６２への画像情報の記憶及び直接印字する場合について適切に原稿Ｍを原稿台３１へ搬送することができるので、常に同一のプロセスにてブック綴じ印字を行うことができる。
【０５０６】
また、本実施の形態のディジタル複写機では、印字面が両面の場合には、原稿給紙部１は、原稿枚数を４で割った余りが０、１、２又は３によって、最上位の原稿及び最下位の原稿のうちいずれかを先にして両方共、又は最上位の原稿若しくは最下位の原稿のいずれか一方を選択する。
【０５０７】
すなわち、中綴じのブック綴じ印字においては、記録紙Ｐの両面に印字される。そして、原稿枚数が４ｎ（ｎは整数）のときには、記録紙Ｐの表面には、例えば、原稿Ｍの最後のページと最初のページとがこの順に印字される一方、記録紙Ｐの裏面には例えば、第２ページと最後のページ前１ページとがこの順に印字される。
【０５０８】
しかしながら、この印字の順序は原稿枚数が４ｎ−１枚、４ｎ−２枚、４ｎ−３枚では異なってくる。また、白ページの画像情報を挿入することによってもその順序は異なってくる。
【０５０９】
しかし、本実施の形態では、原稿給紙部１は、原稿枚数を４で割った余りが０、１、２又は３によって、最上位の原稿及び最下位の原稿のうちいずれかを先にして両方共、又は最上位の原稿若しくは最下位の原稿のいずれか一方を選択する。
【０５１０】
したがって、原稿枚数を４で割った余りが０、１、２又は３によって、自動原稿搬送装置１０の原稿束における最上位の原稿及び最下位の原稿のうちいずれかを先にして両方共、又は最上位の原稿若しくは最下位の原稿のいずれか一方を選択するので、中綴じのブック綴じ印字を行うに際して、原稿束における最上位の原稿又は最下位の原稿の適切な方を取り込んで原稿台３１にて読ませることができる。
【０５１１】
この結果、載置された原稿束における最上位の原稿又は最下位の原稿の取り出しが確実に容易となる。また、原稿Ｍの排出を常にページ順にして行うことができる。
【０５１２】
【発明の効果】
本発明の画像形成装置は、以上のように、読み取られた一枚の原稿の画像情報を記憶する記憶手段が設けられる一方、読み取られる原稿に対して、その原稿の画像情報を記録紙の搬送方向の前半部若しくは後半部に直接印字するか、又はその原稿の画像情報を上記記憶手段に一旦記憶し、記録紙の搬送方向の前半部若しくは後半部に印字された画像情報に並べて印字するかの選択を行う選択手段が設けられているものである。
【０５１３】
それゆえ、読み取られた一枚の原稿の画像情報を記憶する記憶手段が設けられているので、一旦、その読み込んだ原稿を記憶しておくことができる。
【０５１４】
また、選択手段による選択動作により、上述したように、最初の原稿の画像情報を先ず記憶手段に一旦記憶し、次に読み込んだ原稿を先に印字し、その後に、記憶した原稿の画像情報を並べて印字することが可能となる。この結果、ブック綴じ印字に適切なページ配置とした記録紙への印字が可能となる。
【０５１５】
そして、この印字方法では、原稿の画像情報を記憶する記憶手段の記憶容量としては、原稿一枚の画像情報を記憶できる容量があれば足りる。
【０５１６】
この結果、ブック綴じ印字を行うに際して、搭載しているメモリの容量によって原稿枚数が制限されるのを回避し得る画像形成装置を提供することができるという効果を奏する。
【０５１７】
本発明の画像形成装置は、以上のように、上記画像形成装置において、自動原稿搬送装置には、載置される原稿束における最上位の原稿又は最下位の原稿のいずれかを選択して順次原稿読取部へ搬送する上下原稿選択搬送手段が設けられているものである。
【０５１８】
それゆえ、記録紙の片面に、例えば、原稿の最初のページと最後のページとを並べて印字する場合においても、載置された原稿束の上下から原稿を読み込ますことができるので、記憶容量の削減を図ることができる。
【０５１９】
この結果、中綴じのブック綴じ印字を行うに際して、搭載しているメモリの容量によって原稿枚数が制限されるのを回避し得る画像形成装置を提供することができるという効果を奏する。
【０５２０】
本発明の画像形成装置は、以上のように、上記画像形成装置において、上下原稿選択搬送手段は、原稿枚数を４で割った余りと所定のページ配置とに基づいて、載置される原稿束における最上位の原稿又は最下位の原稿のいずれかを選択するものである。
【０５２１】
それゆえ、上下原稿選択搬送手段が、原稿枚数を４で割った余りと所定のページ配置とに基づいて、載置される原稿束における最上位の原稿又は最下位の原稿のいずれかを選択するので、中綴じのブック綴じ印字を行うに際して、原稿束における最上位の原稿又は最下位の原稿の適切な方を取り込んで画像読取部にて読ませることができる。
【０５２２】
この結果、載置された原稿束の最上位又は最下位のいずれかの原稿の取り出しが容易となるという効果を奏する。
【０５２３】
本発明の画像形成装置は、以上のように、上記画像形成装置において、両面印字において、選択手段は、原稿枚数を４で割った余りが０、１、２又は３によって、その原稿の画像情報を記録紙の搬送方向の前半部若しくは後半部に直接印字するか、又はその原稿の画像情報を上記記憶手段に一旦記憶し、記録紙の搬送方向の前半部若しくは後半部に印字された画像情報に並べて印字するかの選択を行うものである。
【０５２４】
それゆえ、印字面が両面の場合には、選択手段による選択動作により、原稿枚数を４で割った余りと所定のページ配置とに基づいて、最初の原稿の画像情報を先ず記憶手段に一旦記憶し、予め別途記憶しておいた白ページの画像情報を最初に印字し、その後に、記憶した原稿の画像情報を並べて印字することが可能となる。
【０５２５】
この結果、中綴じのブック綴じ印字に適切なページ配置とした記録紙への印字が可能となる。
【０５２６】
そして、この印字方法では、原稿の画像情報を記憶する記憶手段の記憶容量としては、原稿一枚の画像情報を記憶できる容量と、予め別途に記憶しておく白ページの画像情報の容量とがあれば足りる。
【０５２７】
この結果、中綴じのブック綴じ印字を行うに際して、搭載しているメモリの容量によって原稿枚数が制限されるのを回避し得る画像形成装置を提供することができるという効果を奏する。
【０５２８】
本発明の画像形成装置は、以上のように、上記画像形成装置において、原稿枚数を４で割った余りと所定のページ配置とに基づいて、読み取り原稿に代えて、白ページの画像情報を挿入させる白画像挿入手段が設けられているものである。
【０５２９】
それゆえ、ブック綴じ印字において、例えば、最後のページを白ページにしたいときに、白画像挿入手段によって容易に白ページを挿入することができるという効果を奏する。
【０５３０】
本発明の画像形成装置は、以上のように、上記画像形成装置において、自動原稿搬送装置には、載置される原稿束における最上位の原稿又は最下位の原稿のいずれかを選択して読み取られた原稿を一旦最上位の原稿と最下位の原稿との２つに分けて排出する一方、その排出された一方の原稿束を再度一枚ずつ取り出し、他方の排出されている原稿束の昇順又は降順に沿うように積み重ねて排出させる排出原稿再整理手段が設けられているものである。
【０５３１】
それゆえ、排出原稿再整理手段は、一旦最上位の原稿と最下位の原稿との２つに分けて排出された原稿に対して、その排出された一方の原稿束を再度一枚ずつ取り出し、他方の排出されている原稿束の昇順又は降順に沿うように積み重ねて排出させる。したがって、原稿の再排出が終了した時点では、排出された原稿束は昇順又は降順に並んでいる。
【０５３２】
この結果、印字が終了した後も、排出原稿束を元の原稿束のページ順に整理された状態で取り出すことができるという効果を奏する。
【０５３３】
本発明の画像形成装置は、以上のように、上記画像形成装置において、排出原稿再整理手段は、読み取られた原稿を一旦最上位の原稿と最下位の原稿との２つに分けて排出する上下２段の原稿排紙トレイと、各上下のいずれかの原稿排紙トレイに排紙された原稿を取り出してスイッチバックして他の原稿排紙トレイに排紙するスイッチバック手段とからなっているものである。
【０５３４】
それゆえ、印字の終了した原稿は、先頭からの原稿と末尾からの原稿とを、２つの上下２段の原稿排紙トレイに分けて一旦排紙し、全印字完了後に、スイッチバック手段により、片方の原稿排紙トレイから他方の原稿排紙トレイに原稿を排紙することによって、最終的にページ順の揃った元の並び通りに原稿を排紙することが可能である。
【０５３５】
この結果、印字が終了した後も、確実に元の原稿束のページ順に排出原稿束を取り出すことができるという効果を奏する。
【０５３６】
本発明の画像形成装置は、以上のように、上記画像形成装置において、読み取られた一枚の原稿の画像情報を印字するときに、記録紙の搬送方向長さの１／２が原稿の搬送方向の長さと一致しない場合には、変倍して印字する変倍印字手段が設けられているものである。
【０５３７】
それゆえ、記録紙に印字する場合に、原稿の縮尺が異なっていても、大きさを揃えて印字することができるという効果を奏する。
【０５３８】
本発明の画像形成装置は、以上のように、上記画像形成装置において、読み取られた一枚の原稿の画像情報を記憶手段に記憶する前に圧縮する圧縮手段が設けられているものである。
【０５３９】
それゆえ、記憶手段には、１枚の原稿の画像情報を圧縮して記憶することができるので、さらに記憶容量を削減することができる。
【０５４０】
この結果、ブック綴じ印字を行うに際して、搭載しているメモリの容量によって原稿枚数が制限されるのをさらに回避し得る画像形成装置を提供することができるという効果を奏する。
【０５４１】
本発明の画像形成装置は、以上のように、上記画像形成装置において、両面印字に対応すべく、記録紙の表面を印字した後、その記録紙を反転して記録紙の裏面に印字するための記録紙スイッチバック手段が設けられる一方、ブック綴じ両面印字する際には、原稿枚数を４で割った余りと所定のページ配置とに基づいて、原稿の画像情報を記録紙に直接印字するダイレクト印字と原稿の画像情報を記憶手段に一旦記憶した後に記録紙に印字するメモリ印字とを併用して一枚の記録紙の表面に２つの原稿の画像情報を印字し、上記記録紙スイッチバック手段にて記録紙を反転した後、その記録紙に同様にして裏面印字するものである。
【０５４２】
それゆえ、ブック綴じ両面印字する際には、記録紙の表面に対してメモリ容量の削減を図り得る適切な印字ができる一方、その後、記録紙の印字面が記録紙スイッチバック手段によって反転されて記録紙の裏面に対してもメモリ容量の削減を図り得る適切な印字ができる。
【０５４３】
この結果、メモリ容量の削減を図ることができるとともに、外部手操作による記録紙の反転作業が省かれ、記録紙反転に対するユーザの負担が軽減されるという効果を奏する。
【図面の簡単な説明】
【図１】  本発明におけるディジタル複写機の実施の一形態を示すブロック図である。
【図２】  上記ディジタル複写機の全体構成を示す概略図である。
【図３】  上記ディジタル複写機の制御部の構成を示すブロック図である。
【図４】  上記ディジタル複写機における自動原稿搬送装置の原稿給紙部を示す構成図である。
【図５】  上記自動原稿搬送装置の原稿給紙部における原稿給紙トレイに載置された原稿束の給紙状態を示す説明図であり、（ａ）は原稿束の最下位原稿を取り出す状態を示すもの、（ｂ）は原稿束の最上位原稿を取り出す状態を示すものである。
【図６】  上記ディジタル複写機における自動原稿搬送装置の原稿排紙部を示す構成図である。
【図７】  上記自動原稿搬送装置の原稿排紙部において、下原稿排紙トレイに排紙された原稿束のＮページ目の原稿を上原稿排紙トレイに配置された原稿束のＮ＋１ページ目の原稿の上に再排紙する状態を示す説明図である。
【図８】  上記自動原稿搬送装置の原稿排紙部において、下原稿排紙トレイに排紙された原稿束のＮ−１ページ目の原稿を上原稿排紙トレイに配置された原稿束のＮページ目の原稿の上に再排紙する状態を示す説明図である。
【図９】  上記自動原稿搬送装置の原稿排紙部において、下原稿排紙トレイに排紙された全ての原稿束を一枚ずつ上原稿排紙トレイに再排紙したことにより、上原稿排紙トレイには原稿が昇順に並んだ状態を示す説明図である。
【図１０】  原稿枚数が偶数のときの左綴じの袋綴じコピーにおける印字方法を示す説明図であり、（ａ）は記録紙に記録された各ページの配置状態を示すもの、（ｂ）は（ａ）に示す各ページの配置状態にて記録紙への印字を行うときの印字方向を示すものである。
【図１１】  原稿枚数が奇数のときの左綴じの袋綴じコピーにおける印字方法を示す説明図であり、（ａ）は記録紙に記録された各ページの配置状態を示すもの、（ｂ）は（ａ）に示す各ページの配置状態にて記録紙への印字を行うときの印字方向を示すものである。
【図１２】  上記自動原稿搬送装置の原稿給紙部において、原稿が原稿給紙トレイに下向きに載置される状態を示す説明図である。
【図１３】  上記ディジタル複写機にて左綴じの袋綴じコピーを行う場合の動作を示すフローチャートである。
【図１４】  上記ディジタル複写機にて左綴じの袋綴じコピーを行う場合の原稿２枚処理モードサブルーチン動作を示すフローチャートである。
【図１５】  上記ディジタル複写機にて左綴じの袋綴じコピーを行う場合の奇数枚最終原稿処理モードサブルーチン動作を示すフローチャートである。
【図１６】  上記ディジタル複写機にて中綴じ用の左綴じコピーを原稿８枚にて行う場合の各記録紙のページ配置を示す説明図であり、（ａ）は１枚目記録紙の表面の状態、（ｂ）は１枚目記録紙の裏面の状態、（ｃ）は２枚目記録紙の表面の状態、（ｄ）は２枚目記録紙の裏面の状態を示すものである。
【図１７】  上記ディジタル複写機にて中綴じ用の左綴じコピーを原稿７枚にて行う場合の各記録紙のページ配置を示す説明図であり、（ａ）は１枚目記録紙の表面の状態、（ｂ）は１枚目記録紙の裏面の状態、（ｃ）は２枚目記録紙の表面の状態、（ｄ）は２枚目記録紙の裏面の状態を示すものである。
【図１８】  上記ディジタル複写機にて中綴じ用の左綴じコピーを原稿６枚にて行う場合の各記録紙のページ配置を示す説明図であり、（ａ）は１枚目記録紙の表面の状態、（ｂ）は１枚目記録紙の裏面の状態、（ｃ）は２枚目記録紙の表面の状態、（ｄ）は２枚目記録紙の裏面の状態を示すものである。
【図１９】  上記ディジタル複写機にて中綴じ用の左綴じコピーを原稿５枚にて行う場合の各記録紙のページ配置を示す説明図であり、（ａ）は１枚目記録紙の表面の状態、（ｂ）は１枚目記録紙の裏面の状態、（ｃ）は２枚目記録紙の表面の状態、（ｄ）は２枚目記録紙の裏面の状態を示すものである。
【図２０】  上記ディジタル複写機にて中綴じ用の左綴じコピーを原稿８枚にて行う場合の各原稿の給紙状態を示すフローチャートである。
【図２１】  上記ディジタル複写機にて中綴じ用の左綴じコピーを原稿７枚にて行う場合の各原稿の給紙状態を示すフローチャートである。
【図２２】  上記ディジタル複写機にて中綴じ用の左綴じコピーを原稿６枚にて行う場合の各原稿の給紙状態を示すフローチャートである。
【図２３】  上記ディジタル複写機にて中綴じ用の左綴じコピーを原稿５枚にて行う場合の各原稿の給紙状態を示すフローチャートである。
【図２４】  上記ディジタル複写機にて中綴じ用の左綴じコピーを任意の原稿枚数にて行う場合の動作を示すフローチャートである。
【図２５】  上記ディジタル複写機にて中綴じ用の左綴じコピーを任意の原稿枚数にて行う場合の４ｎ処理動作を示すサブルーチンフローチャートである。
【図２６】  上記ディジタル複写機にて中綴じ用の左綴じコピーを任意の原稿枚数にて行う場合の４ｎ−１処理動作を示すサブルーチンフローチャートである。
【図２７】  上記ディジタル複写機にて中綴じ用の左綴じコピーを任意の原稿枚数にて行う場合の４ｎ−２処理動作を示すサブルーチンフローチャートである。
【図２８】  上記ディジタル複写機にて中綴じ用の左綴じコピーを任意の原稿枚数にて行う場合の４ｎ−３処理動作を示すサブルーチンフローチャートである。
【図２９】  上記ディジタル複写機にて中綴じ用の左綴じコピーを原稿１２枚にて記録紙に印字したときの、各記録紙の表裏面におけるページの配置状態を示す側面図である。
【図３０】  上記ディジタル複写機にて中綴じ用の左綴じコピーを原稿１２枚にて記録紙に印字したときの、各記録紙の表裏面におけるページの配置状態を示す平面図である。
【図３１】  上記ディジタル複写機にて中綴じ用の左綴じコピーを原稿１１枚にて記録紙に印字したときの、各記録紙の表裏面におけるページの配置状態を示す平面図である。
【図３２】  上記ディジタル複写機にて中綴じ用の左綴じコピーを原稿１０枚にて記録紙に印字したときの、各記録紙の表裏面におけるページの配置状態を示す平面図である。
【図３３】  上記ディジタル複写機にて中綴じ用の左綴じコピーを原稿９枚にて記録紙に印字したときの、各記録紙の表裏面におけるページの配置状態を示す平面図である。
【図３４】  上記ディジタル複写機にて中綴じ用の左綴じコピーを任意の原稿枚数にて行う場合の４ｎ枚処理動作の全工程を示すサブルーチンフローチャートである。
【図３５】  上記ディジタル複写機にて中綴じ用の左綴じコピーを任意の原稿枚数にて行う場合の４ｎ−１枚処理動作の全工程を示すサブルーチンフローチャートである。
【図３６】  図３５の続きを示すサブルーチンフローチャートである。
【図３７】  上記ディジタル複写機にて中綴じ用の左綴じコピーを任意の原稿枚数にて行う場合の４ｎ−２枚処理動作の全工程を示すサブルーチンフローチャートである。
【図３８】  図３７の続きを示すサブルーチンフローチャートである。
【図３９】  上記ディジタル複写機にて中綴じ用の左綴じコピーを任意の原稿枚数にて行う場合の４ｎ−３枚処理動作の全工程を示すサブルーチンフローチャートである。
【図４０】  図３９の続きを示すサブルーチンフローチャートである。
【図４１】  画像メモリに記憶させる前に圧縮を行う場合の制御を示すブロック図である。
【図４２】  本発明におけるディジタル複写機の他の実施の一形態を示すものであり、原稿台に原稿を２枚供給して、中綴じ用の左綴じコピーを任意の原稿枚数にて行う場合の４ｎ枚処理動作を示すサブルーチンフローチャートである。
【図４３】  図４２の続きを示すサブルーチンフローチャートである。
【図４４】  上記ディジタル複写機において、原稿台に原稿を２枚供給して、中綴じ用の左綴じコピーを任意の原稿枚数にて行う場合の４ｎ−１枚処理動作を示すサブルーチンフローチャートである。
【図４５】  図４４の続きを示すサブルーチンフローチャートである。
【図４６】  上記ディジタル複写機において、原稿台に原稿を２枚供給して、中綴じ用の左綴じコピーを任意の原稿枚数にて行う場合の４ｎ−２枚処理動作を示すサブルーチンフローチャートである。
【図４７】  図４６の続きを示すサブルーチンフローチャートである。
【図４８】  図４７の続きを示すサブルーチンフローチャートである。
【図４９】  上記ディジタル複写機において、原稿台に原稿を２枚供給して、中綴じ用の左綴じコピーを任意の原稿枚数にて行う場合の４ｎ−３枚処理動作を示すサブルーチンフローチャートである。
【図５０】  図４９の続きを示すサブルーチンフローチャートである。
【図５１】  図５０の続きを示すサブルーチンフローチャートである。
【符号の説明】
１    原稿給紙部（上下原稿選択搬送手段）
２    原稿給紙トレイ
３    最上位原稿ピックアップローラ
４    最下位原稿ピックアップローラ
５    上さばき板
６    下さばき板
１１    原稿排紙部（排出原稿再整理手段）
１３ａ  上原稿排紙トレイ（原稿排紙トレイ）
１３ｂ  下原稿排紙トレイ（原稿排紙トレイ）
１４    原稿主搬送路
１５ａ  上搬送分岐路
１５ｂ  下搬送分岐路
１６    スイッチバック用搬送路（スイッチバック手段）
１７ａ  第１搬送路選択爪
１７ｂ  第２搬送路選択爪
１８    スイッチバック用搬送ローラ
１９ａ  上排紙ローラ
１９ｂ  下排紙ローラ
２１    原稿排紙半月ローラ（スイッチバック手段）
３１    原稿台（原稿読取部）
３２    露光用光源
４０    画像形成部
４１    感光体
４３    転写チャージャ
５６    排紙ローラ
５９    用紙搬送路
５９ａ  反転退避路（記録紙スイッチバック手段、反転路、用紙搬送路）
５９ｂ  副搬送路（記録紙スイッチバック手段、用紙搬送路）
５９ｃ  用紙主搬送路（用紙搬送路）
６１    ＣＰＵ（白画像挿入手段）
６２    画像メモリ（記憶手段）
６６    記録紙搬送制御（待機手段）
６８    画像データ切替制御（白画像挿入手段）
７２    画像処理部（変倍印字手段）
７３    データバス切替部（選択手段）
７４    レーザ出力変換部
７６    データ圧縮部（圧縮手段）
７７    データ伸長部
【図１】
0003670194.tif 000003
【図２】
0003670194.tif 000004
【図３】
0003670194.tif 000005
【図４】
0003670194.tif 000006
【図５】
0003670194.tif 000007
【図６】
0003670194.tif 000008
【図７】
0003670194.tif 000009
【図８】
0003670194.tif 000010
【図９】
0003670194.tif 000011
【図１０】
0003670194.tif 000012
【図１１】
0003670194.tif 000013
【図１２】
0003670194.tif 000014
【図１３】
0003670194.tif 000015
【図１４】
0003670194.tif 000016
【図１５】
0003670194.tif 000017
【図１６】
0003670194.tif 000018
【図１７】
0003670194.tif 000019
【図１８】
0003670194.tif 000020
【図１９】
0003670194.tif 000021
【図２０】
0003670194.tif 000022
【図２１】
0003670194.tif 000023
【図２２】
0003670194.tif 000024
【図２３】
0003670194.tif 000025
【図２４】
0003670194.tif 000026
【図２５】
0003670194.tif 000027
【図２６】
0003670194.tif 000028
【図２７】
0003670194.tif 000029
【図２８】
0003670194.tif 000030
【図２９】
0003670194.tif 000031
【図３０】
0003670194.tif 000032
【図３１】
0003670194.tif 000033
【図３２】
0003670194.tif 000034
【図３３】
0003670194.tif 000035
【図３４】
0003670194.tif 000036
【図３５】
0003670194.tif 000037
【図３６】
0003670194.tif 000038
【図３７】
0003670194.tif 000039
【図３８】
0003670194.tif 000040
【図３９】
0003670194.tif 000041
【図４０】
0003670194.tif 000042
【図４１】
0003670194.tif 000043
【図４２】
0003670194.tif 000044
【図４３】
0003670194.tif 000045
【図４４】
0003670194.tif 000046
【図４５】
0003670194.tif 000047
【図４６】
0003670194.tif 000048
【図４７】
0003670194.tif 000049
【図４８】
0003670194.tif 000050
【図４９】
0003670194.tif 000051
【図５０】
0003670194.tif 000052
【図５１】
0003670194.tif 000053